(57)【要約】【課題】ピックアップ装置の試験機を用いてピックアップ装置の耐久試験を実行させる。【解決手段】ピックアップ装置１，２，３，４の耐久試験を実行可能なピックアップ装置１，２，３，４の試験機３００であって、複数のピックアップ装置１，２，３，４の耐久試験が同時に実行可能とされた。ピックアップ装置１，２，３，４の対物レンズ７から出射されるレーザ光の光軸方向Ｄｆに対し略直交する方向Ｄｔとされると共に、ピックアップ装置１，２，３，４を支持可能な長尺状の支持部材Ｓ１，Ｓ２の長手方向Ｄｒに対し略直交する方向Ｄｔに略沿って、ピックアップ装置１，２，３，４に側圧をかけることが可能とされた。複数のピックアップ装置１，２／３，４に側圧をかける弾性部材が装備可能とされた。ピックアップ装置１，２，３，４を構成するフレキシブル基板８の繰返し折曲げが実行可能とされた。【選択図】図１
2009020992.tif 000002
【特許請求の範囲】
【請求項１】
ピックアップ装置の耐久試験を実行可能なピックアップ装置の試験機であって、複数の前記ピックアップ装置の前記耐久試験が同時に実行可能とされたことを特徴とするピックアップ装置の試験機。
【請求項２】
前記ピックアップ装置を構成する摺動部の繰返し摺動が実行可能とされたことを特徴とする請求項１に記載のピックアップ装置の試験機。
【請求項３】
前記ピックアップ装置を支持可能な長尺状の支持部材が装備可能とされ、該支持部材の長手方向に沿って該ピックアップ装置の往復移動が可能とされたことを特徴とする請求項１又は２に記載のピックアップ装置の試験機。
【請求項４】
前記ピックアップ装置の対物レンズから出射されるレーザ光の光軸方向に対し略直交する方向とされると共に、該ピックアップ装置を支持可能な長尺状の支持部材の長手方向に対し略直交する方向に略沿って、該ピックアップ装置に側圧をかけることが可能とされたことを特徴とする請求項１〜３の何れか１項に記載のピックアップ装置の試験機。
【請求項５】
前記ピックアップ装置に側圧をかける弾性部材が装備可能とされたことを特徴とする請求項１〜４の何れか１項に記載のピックアップ装置の試験機。
【請求項６】
前記ピックアップ装置を構成するフレキシブル基板の繰返し折曲げが実行可能とされたことを特徴とする請求項１〜５の何れか１項に記載のピックアップ装置の試験機。
【請求項７】
前記ピックアップ装置を構成するフレキシブル基板を撓ませる可撓促進部が装備可能とされたことを特徴とする請求項１〜６の何れか１項に記載のピックアップ装置の試験機。
【請求項８】
前記ピックアップ装置を構成するフレキシブル基板を撓ませる可撓促進部が装備可能とされ、該可撓促進部に該フレキシブル基板が屈曲されつつ摺接される摺接部材が装着可能とされたことを特徴とする請求項１〜７の何れか１項に記載のピックアップ装置の試験機。
【請求項９】
前記ピックアップ装置を構成する摺動部の繰返し摺動ならびに該ピックアップ装置を構成するフレキシブル基板の繰返し折曲げが同時に実行可能とされたことを特徴とする請求項１〜８の何れか１項に記載のピックアップ装置の試験機。
【請求項１０】
回動軸を駆動させる回動駆動部材と、該回動駆動部材により発せられた該回動軸の回動力を往復駆動力に変換させる駆動力変換部材と、該往復駆動力を伝達させる駆動力伝達部材とを少なくとも備えることを特徴とする請求項１〜９の何れか１項に記載のピックアップ装置の試験機。
【請求項１１】
前記ピックアップ装置の往復移動回数を検出可能な検知部材を備えることを特徴とする請求項１〜１０の何れか１項に記載のピックアップ装置の試験機。
【発明の詳細な説明】
【技術分野】
【０００１】
本発明は、例えばピックアップ装置の耐久性を確認するために用いられるピックアップ装置の試験機に関するものである。
【背景技術】
【０００２】
光ピックアップ装置が用いられて光ディスクに記録されたデータが再生される。また、光ピックアップ装置が用いられて光ディスクにデータが記録される。光ピックアップ装置は、光ディスク装置において、光ディスクに記録されたデータが再生されるときや、光ピックアップ装置が用いられて光ディスクにデータが記録されるときの重要な部品とされている。
【０００３】
光ピックアップ装置に関する耐久性が記載されたものとして、例えばグリースなどの潤滑剤の飛散が抑えられると共に耐久性が向上されたディスク装置というものがある（例えば、特許文献１参照。）。
【特許文献１】特開２００７−４９２７号公報（第１，４頁、第１−３図）
【発明の開示】
【発明が解決しようとする課題】
【０００４】
近年、より長期に亘って確実に作動可能な光ピックアップ装置が要求されている。また、より確実に解析された光ピックアップ装置の耐久評価性が要求されることがある。光ピックアップ装置の耐久性の評価試験が行われるときには、例えば所定数の光ピックアップ装置の「ばらつき」を考慮する必要性が生じる。また、例えば所定数の光ピックアップ装置の耐久評価試験は、効率よく行われることが好ましい。所定数の光ピックアップ装置の耐久性を効率よく確実に評価／確認するために、複数の光ピックアップ装置の耐久試験を実行可能な試験機が必要とされていた。
【０００５】
本発明は、上記した問題点を解決することにある。本発明は、上記した点に鑑み、ピックアップ装置の耐久試験を実行可能なピックアップ装置の試験機を提供することを目的とする。
【課題を解決するための手段】
【０００６】
上記目的を達成するために、本発明の請求項１に係るピックアップ装置の試験機は、ピックアップ装置の耐久試験を実行可能なピックアップ装置の試験機であって、複数の前記ピックアップ装置の前記耐久試験が同時に実行可能とされたことを特徴とする。
【０００７】
上記構成により、ピックアップ装置の耐久試験が効率よく行われる。複数のピックアップ装置の耐久試験が同時に実行可能なピックアップ装置の試験機が用いられてピックアップ装置の耐久試験が行われることにより、効率よくピックアップ装置の耐久試験が行われる。また、複数のピックアップ装置の耐久試験が同時に実行可能なピックアップ装置の試験機により、複数のピックアップ装置の「ばらつき」を含めた各ピックアップ装置の耐久性の評価が可能となる。
【０００８】
請求項２に係るピックアップ装置の試験機は、請求項１に記載のピックアップ装置の試験機において、前記ピックアップ装置を構成する摺動部の繰返し摺動が実行可能とされたことを特徴とする。
【０００９】
上記構成により、ピックアップ装置を構成する摺動部の繰返し摺動が、ピックアップ装
置の試験機にて効率よく行われる。ピックアップ装置の試験機が用いられて、ピックアップ装置を構成する摺動部の繰返し摺動耐久試験が行われることにより、繰り返して摺動されたピックアップ装置の摺動部の解析を効率よく行うことが可能となる。
【００１０】
請求項３に係るピックアップ装置の試験機は、請求項１又は２に記載のピックアップ装置の試験機において、前記ピックアップ装置を支持可能な長尺状の支持部材が装備可能とされ、該支持部材の長手方向に沿って該ピックアップ装置の往復移動が可能とされたことを特徴とする。
【００１１】
上記構成により、ピックアップ装置の往復動耐久試験は確実に行われる。長尺状の支持部材に支持されたピックアップ装置が支持部材の長手方向に沿って往復移動させられることにより、ピックアップ装置の往復動耐久試験が確実に行われる。また、ピックアップ装置の往復動耐久試験が行われることにより、ピックアップ装置等の摺動部などの解析を行うことが可能となる。
【００１２】
請求項４に係るピックアップ装置の試験機は、請求項１〜３の何れか１項に記載のピックアップ装置の試験機において、前記ピックアップ装置の対物レンズから出射されるレーザ光の光軸方向に対し略直交する方向とされると共に、該ピックアップ装置を支持可能な長尺状の支持部材の長手方向に対し略直交する方向に略沿って、該ピックアップ装置に側圧をかけることが可能とされたことを特徴とする。
【００１３】
上記構成により、ピックアップ装置に側圧がかけられた状態でピックアップ装置の耐久試験が行われる。ピックアップ装置に側圧がかけられてピックアップ装置の耐久試験が行われることにより、実際にピックアップ装置が使用される条件下により近い条件下でピックアップ装置の耐久性の評価が行われる。
【００１４】
請求項５に係るピックアップ装置の試験機は、請求項１〜４の何れか１項に記載のピックアップ装置の試験機において、前記ピックアップ装置に側圧をかける弾性部材が装備可能とされたことを特徴とする。
【００１５】
上記構成により、ピックアップ装置に例えば側圧がかけられた状態でピックアップ装置の耐久試験が行われることとなる。弾性部材によって複数のピックアップ装置が引き寄せられたり又は引き離されたりすることにより、ピックアップ装置に側圧がかけられる。ピックアップ装置に側圧がかけられた状態でピックアップ装置の耐久試験が行われることにより、実際にピックアップ装置が使用される条件下により近い条件下でピックアップ装置の耐久性の評価が行われることとなる。
【００１６】
請求項６に係るピックアップ装置の試験機は、請求項１〜５の何れか１項に記載のピックアップ装置の試験機において、前記ピックアップ装置を構成するフレキシブル基板の繰返し折曲げが実行可能とされたことを特徴とする。
【００１７】
上記構成により、ピックアップ装置を構成するフレキシブル基板の繰返し折曲げがピックアップ装置の試験機にて行われる。ピックアップ装置の試験機が用いられて、ピックアップ装置を構成するフレキシブル基板の屈曲耐久試験が行われることにより、繰り返して屈曲されたフレキシブル基板の解析を行うことが可能となる。
【００１８】
請求項７に係るピックアップ装置の試験機は、請求項１〜６の何れか１項に記載のピックアップ装置の試験機において、前記ピックアップ装置を構成するフレキシブル基板を撓ませる可撓促進部が装備可能とされたことを特徴とする。
【００１９】
上記構成により、ピックアップ装置を構成するフレキシブル基板の耐久試験は、実際にピックアップ装置が使用される条件下に近い条件下で行われる。フレキシブル基板を撓ませる可撓促進部に対し、フレキシブル基板が繰り返して屈曲されることにより、繰り返して屈曲されたフレキシブル基板に対する実際的な解析を行うことが可能となる。
【００２０】
請求項８に係るピックアップ装置の試験機は、請求項１〜７の何れか１項に記載のピックアップ装置の試験機において、前記ピックアップ装置を構成するフレキシブル基板を撓ませる可撓促進部が装備可能とされ、該可撓促進部に該フレキシブル基板が屈曲されつつ摺接される摺接部材が装着可能とされたことを特徴とする。
【００２１】
上記構成により、ピックアップ装置を構成するフレキシブル基板の耐久試験は、実際にピックアップ装置が使用される条件下により近い条件下で行われる。フレキシブル基板が屈曲されつつ摺接される摺接部材が、ピックアップ装置を構成するフレキシブル基板を撓ませる可撓促進部に装着されることにより、例えば繰り返して屈曲されたフレキシブル基板における損耗の発生が防止され易くなる。フレキシブル基板を撓ませる可撓促進部に装着された摺接部材に対し、フレキシブル基板が繰り返して屈曲されつつ摺接されることにより、繰り返して屈曲されたフレキシブル基板に対するより実際的な解析を行うことが可能となる。
【００２２】
請求項９に係るピックアップ装置の試験機は、請求項１〜８の何れか１項に記載のピックアップ装置の試験機において、前記ピックアップ装置を構成する摺動部の繰返し摺動ならびに該ピックアップ装置を構成するフレキシブル基板の繰返し折曲げが同時に実行可能とされたことを特徴とする。
【００２３】
上記構成により、ピックアップ装置を構成する摺動部の繰返し摺動ならびにピックアップ装置を構成するフレキシブル基板の繰返し折曲げが、ピックアップ装置の試験機にて同時に実行可能となる。ピックアップ装置の試験機が用いられて、ピックアップ装置を構成する摺動部の繰返し摺動耐久試験ならびにピックアップ装置を構成するフレキシブル基板の屈曲耐久試験が行われることにより、繰り返して摺動されたピックアップ装置の摺動部ならびに繰り返して屈曲されたフレキシブル基板の解析を効率よく行うことが可能となる。
【００２４】
請求項１０に係るピックアップ装置の試験機は、請求項１〜９の何れか１項に記載のピックアップ装置の試験機において、回動軸を駆動させる回動駆動部材と、該回動駆動部材により発せられた該回動軸の回動力を往復駆動力に変換させる駆動力変換部材と、該往復駆動力を伝達させる駆動力伝達部材とを少なくとも備えることを特徴とする。
【００２５】
上記構成により、ピックアップ装置の往復動耐久試験を実施可能なピックアップ装置の試験機が構成される。回動軸を駆動させる回動駆動部材と、回動駆動部材により発せられた回動軸の回動力を往復駆動力に変換させる駆動力変換部材と、往復駆動力を伝達させる駆動力伝達部材とを少なくとも備えるピックアップ装置の試験機が構成されていれば、ピックアップ装置は確実に往復動させられる。ピックアップ装置が確実に往復動させられるので、ピックアップ装置の耐久試験は効率よく行われることとなる。
【００２６】
請求項１１に係るピックアップ装置の試験機は、請求項１〜１０の何れか１項に記載のピックアップ装置の試験機において、前記ピックアップ装置の往復移動回数を検出可能な検知部材を備えることを特徴とする。
【００２７】
上記構成により、ピックアップ装置の往復移動回数が容易に分かる。ピックアップ装置の試験機に、ピックアップ装置の往復移動回数を検出可能な検知部材が装備されているの
で、ピックアップ装置の試験機に備えられたピックアップ装置の往復移動回数は容易に認識される。例えば、ピックアップ装置の往復移動回数が所定の往復移動回数に達することが、検知部材によって判断可能となる。
【発明の効果】
【００２８】
以上の如く、請求項１に記載の発明によれば、ピックアップ装置の耐久試験が効率よく行われる。複数のピックアップ装置の耐久試験が同時に実行可能なピックアップ装置の試験機が用いられてピックアップ装置の耐久試験が行われることにより、効率よくピックアップ装置の耐久試験が行われる。また、複数のピックアップ装置の耐久試験が同時に実行可能なピックアップ装置の試験機により、複数のピックアップ装置の「ばらつき」を含めた各ピックアップ装置の耐久性を評価することができる。
【００２９】
請求項２記載の発明によれば、ピックアップ装置を構成する摺動部の繰返し摺動が、ピックアップ装置の試験機にて効率よく行われる。ピックアップ装置の試験機が用いられて、ピックアップ装置を構成する摺動部の繰返し摺動耐久試験が行われることにより、繰り返して摺動されたピックアップ装置の摺動部の解析を効率よく行うことができる。
【００３０】
請求項３に記載の発明によれば、ピックアップ装置の往復動耐久試験は確実に行われる。長尺状の支持部材に支持されたピックアップ装置が支持部材の長手方向に沿って往復移動させられることにより、ピックアップ装置の往復動耐久試験が確実に行われる。また、ピックアップ装置の往復動耐久試験が行われることにより、ピックアップ装置等の摺動部などの解析を行うことができる。
【００３１】
請求項４に記載の発明によれば、ピックアップ装置に側圧がかけられた状態でピックアップ装置の耐久試験が行われる。ピックアップ装置に側圧がかけられてピックアップ装置の耐久試験が行われることにより、実際にピックアップ装置が使用される条件下により近い条件下でピックアップ装置の耐久性の評価を行うことができる。
【００３２】
請求項５に記載の発明によれば、ピックアップ装置に例えば側圧がかけられた状態でピックアップ装置の耐久試験を行うことができる。弾性部材によって複数のピックアップ装置が引き寄せられたり又は引き離されたりすることにより、ピックアップ装置に側圧がかけられる。ピックアップ装置に側圧がかけられた状態でピックアップ装置の耐久試験が行われることにより、実際にピックアップ装置が使用される条件下により近い条件下でピックアップ装置の耐久性の評価を行うことができる。
【００３３】
請求項６に記載の発明によれば、ピックアップ装置を構成するフレキシブル基板の繰返し折曲げがピックアップ装置の試験機にて行われる。ピックアップ装置の試験機が用いられて、ピックアップ装置を構成するフレキシブル基板の屈曲耐久試験が行われることにより、繰り返して屈曲されたフレキシブル基板の解析を行うことができる。
【００３４】
請求項７に記載の発明によれば、ピックアップ装置を構成するフレキシブル基板の耐久試験は、実際にピックアップ装置が使用される条件下に近い条件下で行われる。フレキシブル基板を撓ませる可撓促進部に対し、フレキシブル基板が繰り返して屈曲されることにより、繰り返して屈曲されたフレキシブル基板に対する実際的な解析を行うことができる。
【００３５】
請求項８に記載の発明によれば、ピックアップ装置を構成するフレキシブル基板の耐久試験は、実際にピックアップ装置が使用される条件下により近い条件下で行われる。フレキシブル基板が屈曲されつつ摺接される摺接部材が、ピックアップ装置を構成するフレキシブル基板を撓ませる可撓促進部に装着されることにより、例えば繰り返して屈曲された
フレキシブル基板における損耗の発生が防止され易くなる。フレキシブル基板を撓ませる可撓促進部に装着された摺接部材に対し、フレキシブル基板が繰り返して屈曲されつつ摺接されることにより、繰り返して屈曲されたフレキシブル基板に対するより実際的な解析を行うことができる。
【００３６】
請求項９に記載の発明によれば、ピックアップ装置を構成する摺動部の繰返し摺動ならびにピックアップ装置を構成するフレキシブル基板の繰返し折曲げが、ピックアップ装置の試験機にて同時に実行可能となる。ピックアップ装置の試験機が用いられて、ピックアップ装置を構成する摺動部の繰返し摺動耐久試験ならびにピックアップ装置を構成するフレキシブル基板の屈曲耐久試験が行われることにより、繰り返して摺動されたピックアップ装置の摺動部ならびに繰り返して屈曲されたフレキシブル基板の解析を効率よく行うことができる。
【００３７】
請求項１０に記載の発明によれば、ピックアップ装置の往復動耐久試験を実施可能なピックアップ装置の試験機が構成される。回動軸を駆動させる回動駆動部材と、回動駆動部材により発せられた回動軸の回動力を往復駆動力に変換させる駆動力変換部材と、往復駆動力を伝達させる駆動力伝達部材とを少なくとも備えるピックアップ装置の試験機が構成されていれば、ピックアップ装置は確実に往復動させられる。ピックアップ装置が確実に往復動させられるので、ピックアップ装置の耐久試験を効率よく行うことができる。
【００３８】
請求項１１に記載の発明によれば、ピックアップ装置の往復移動回数が容易に分かる。ピックアップ装置の試験機に、ピックアップ装置の往復移動回数を検出可能な検知部材が装備されているので、ピックアップ装置の試験機に備えられたピックアップ装置の往復移動回数は容易に認識される。例えば、ピックアップ装置の往復移動回数が所定の往復移動回数に達することが、検知部材によって判断できる。
【発明を実施するための最良の形態】
【００３９】
以下に本発明に係るピックアップ装置の試験機の実施形態を図面に基づいて詳細に説明する。
【実施例１】
【００４０】
図１は、本発明に係るピックアップ装置の試験機の第一実施形態を示す平面図、図２は、ピックアップ装置の試験機における略左奥側を正面側から眺めた状態を示す概略図、図３は、ピックアップ装置の試験機を側面側から眺めた状態を示す概略図である。
【００４１】
各図について詳しく説明すると、図１は、ピックアップ装置１，２，３，４の試験機３００が略真上側から眺められた状態を示す説明図である。また、図２は、図１に示すピックアップ装置１，２，３，４の試験機３００が略長尺状支持部材Ｓ１，Ｓ２に略沿って略半分とされたときに、ピックアップ装置１，２，３，４の試験機３００における略左奥側が正面側から眺められた状態を示す概略図である。また、図３は、図１に示すピックアップ装置１，２，３，４の試験機３００が略右側から側面視されたときに、ピックアップ装置１，２，３，４の試験機３００における要部が右側面側から眺められた状態を示す概略図である。
【００４２】
図１の如く、光ピックアップ装置１，２，３，４の試験機３００が上側から平面視されたときに、電源部１０が装備されている側を光ピックアップ装置１，２，３，４の試験機３００の前側と定め、その反対側を光ピックアップ装置１，２，３，４の試験機３００の後側と定める。また、光ピックアップ装置１，２，３，４の試験機３００が上側から平面視されたときに、検知部材１６０が装備されている側を光ピックアップ装置１，２，３，４の試験機３００の右側と定め、その反対側を光ピックアップ装置１，２，３，４の試験
機３００の左側と定める。
【００４３】
また、図２の如く、光ピックアップ装置１，２，３，４の試験機３００が例えば正面視されたときや、図３の如く、光ピックアップ装置１，２，３，４の試験機３００が例えば右側から側面視されたときに、ベース板１００から脚部１９０が延設される側を光ピックアップ装置１，２，３，４の試験機３００の下側と定め、ベース板１００に保護部材２００が装備される側を光ピックアップ装置１，２，３，４の試験機３００の上側と定める。
【００４４】
光ピックアップ装置１，２，３，４の試験機３００（図１〜図３）を操作等する者は、通常、光ピックアップ装置１，２，３，４の試験機３００の前側から正面視方向Ｄｅ（図１，図３）に沿って眺めながら光ピックアップ装置１，２，３，４の試験機３００の操作等を行う。
【００４５】
なお、この明細書における「前」、「後」、「左」、「右」、「上」、「下」、「正面」の定義は、光ピックアップ装置１，２，３，４の試験機３００を説明するための便宜上の定義とされている。
【００４６】
また、主に耐久試験装置３００を構成する第一評価部Ｎ１および第一評価部Ｎ１に装備された第一の光ピックアップ装置１に基づいて、光ピックアップ装置１，２，３，４の試験機３００を詳しく説明する。光ピックアップ装置１と、他の光ピックアップ装置２，３，４とは、同じ構成とされており、他の光ピックアップ装置２，３，４における符号に基づいた詳細説明は省略した。光ピックアップ装置１，２，３，４の耐久試験装置３００に装備される第一光ピックアップ装置１と、第二光ピックアップ装置２と、第三光ピックアップ装置３と、第四光ピックアップ装置４とは、例えば同一構成要素部品が用いられて組み立てられる。また、各光ピックアップ装置１，２，３，４は、例えば、ノート型もしくはラップトップ型パーソナルコンピュータ（ＰＣ：Personal Computer ）用の薄型光ディスク装置（図示せず）に用いられる薄型光ピックアップ装置１，２，３，４として構成されている。
【００４７】
ＰＣについて説明すると、ノート型ＰＣもしくはラップトップ型ＰＣは、軽量化、軽薄化が要求されることから、スリム型ドライブが装備された光ディスク装置を備えた構造とされる。ノート型ＰＣもしくはラップトップ型ＰＣは、ディスプレイと、ＰＣ本体とが、一体構造のものとされ、ＰＣ本体に対し、ディスプレイが折りたたまれることで、薄型サイズのものとなる。ノート型ＰＣは、例えば、このものが平面視されたときに略Ａ４判もしくはこれ以下またはこれ以上の大きさの汎用ＰＣとされ、例えばブック型ＰＣとも呼ばれる。ノート型ＰＣもしくはラップトップ型ＰＣは、コンパクトなものとされて容易に持運び可能なものとされている。また、デスクトップ型コンピュータは、卓上型コンピュータとされ、一般に机の上で使用可能なコンピュータとされている。しかしながら、デスクトップ型コンピュータは、一般にノート型ＰＣもしくはラップトップ型ＰＣよりも容易に持運びができないタイプのものとされている。
【００４８】
不図示の光ディスク装置に内装される光ピックアップ装置１，２，３，４が用いられて、光ディスク（図示せず）における情報などのデータの再生または記録が行われる。光ディスクとして、例えば、「ＣＤ」系列の光ディスクや、「ＤＶＤ」（登録商標）系列の光ディスクや、「ＨＤ  ＤＶＤ」（登録商標）系列の光ディスクや、「Blu-ray Disc」（登録商標）系列の光ディスクなどが挙げられる。「ＣＤ」は「Compact Disc」（商標）の略称である。また、「ＤＶＤ」は「Digital Versatile Disc」（登録商標）の略称である。また、「ＨＤ  ＤＶＤ」は「High Definition DVD」（登録商標）の略称である。
【００４９】
光ピックアップ装置１，２，３，４は、前記各種光ディスクに記録されたデータを再生
させたり、前記書込み可能もしくは書換え可能な各種光ディスクにデータを記録させたりするものとされている。光ピックアップ（optical pickup）もしくは光ピックアップ装置（optical pickup unit）は例えば「ＯＰＵ」と略称される。ＯＰＵ１，２，３，４は、例えば、ＣＤ系のメディアと、ＤＶＤ系のメディアと、Blu-ray Disc系のメディアとに対応したものとされている。ＯＰＵ１，２，３，４は、複数のメディアに対応したものとされている。
【００５０】
ＯＰＵ１，２，３，４を構成する光学系部品などの各種部品（図示せず）は、ハウジング５に装備される。ハウジング（housing）とは、例えば、装置、部品などの物が収容される箱形のものや、箱に類似したものを意味する。ハウジング５は、光学素子などの各種部品が装備されるハウジング本体５ａと、ハウジング本体５ａから突設され第一支持部材Ｓ１と移動可能に合わせられる一対の主軸用の軸受部６ａ，６ｂと、主軸用の軸受部６ａ，６ｂに対し反対側に向けてハウジング本体５ａから突設され第二支持部材Ｓ２と移動可能に合わせられる副軸用の軸受部６ｃとを備えて形成されている。主軸用の軸受部６ａ，６ｂと、副軸用の軸受部６ｃとは、ハウジング本体５ａと一体成形されている。主軸用の軸受部６ａ，６ｂと、副軸用の軸受部６ｃと、ハウジング本体５ａとは、同一材料が用いられて一つのものとして形成されている。
【００５１】
ハウジング５を形成する材料として、例えば、射出成形が可能であって耐熱性を有する熱可塑性の合成樹脂材料が用いられる。合成樹脂材料が用いられハウジング５が形成されることにより、ハウジング５の軽量化が図られる。従って、ハウジング５を備えるＯＰＵ１，２，３，４の軽量化が図られる。また、合成樹脂材料が用いられ射出成形法に基づいてハウジング５が形成されることにより、複雑な形状のハウジング５とされていても、効率よく大量にハウジング５が生産される。
【００５２】
射出成形が可能であって耐熱性を有する熱可塑性の合成樹脂材料として、例えば熱安定性性や、絶縁特性などの電気的特性や、機械的特性や、寸法安定性などに優れるポリフェニレンサルファイド樹脂（poly phenylene sulfide：ＰＰＳ）等のポリアリーレンサルファイド系樹脂などが挙げられる。ＰＰＳを基材としたものとして、例えば、大日本インキ化学工業製：ＤＩＣ（登録商標）等が挙げられる。具体的なＰＰＳとして、例えば、大日本インキ化学工業製：ＤＩＣ・ＰＰＳ＿ＦＺ−２１００等が挙げられる。
【００５３】
また、ＯＰＵ１，２，３，４の設計／仕様などにより、合成樹脂製のハウジング５に代えて、例えば非鉄金属製のハウジング５も用いられる。その場合、ＯＰＵ１，２，３，４を構成するハウジング５は、例えば、アルミニウム（Ａｌ）、マグネシウム（Ｍｇ）、亜鉛（Ｚｎ）などの非鉄金属や、アルミニウム（Ａｌ）、マグネシウム（Ｍｇ）、亜鉛（Ｚｎ）を含有する合金が用いられて形成される。アルミニウム、マグネシウム、亜鉛は、耐食性に優れたものとされ、鉄よりも比重の小さい非鉄金属とされている。例えばアルミニウムを主成分とするアルミニウム合金が用いられてハウジング５が形成される。
【００５４】
また、ＯＰＵ１，２，３，４を構成する対物レンズ７は、発光素子（図示せず）から出射されたレーザ光を絞り込んで不図示の光ディスクの信号面部へ集光させる役割を果す。対物レンズ７は、例えば透明な合成樹脂材料、透明なガラス材料等が用いられて形成される。対物レンズ（objective lens）は、「ＯＢＬ」と略称される。ＯＢＬ７は、レンズホルダ（図示せず）に装着される。また、ＯＢＬ７を備えるレンズホルダは、複数のサスペンションワイヤ（図示せず）によって、移動可能に支持される。また、各サスペンションワイヤは、制御基板（図示せず）に取り付けられる。
【００５５】
また、ＯＰＵ１，２，３，４を構成する各種電気／電子部品（図示せず）は、フレキシブル基板８に通電可能に接続される。ＯＰＵ１，２，３，４の設計／仕様などにより、フ
レキシブル基板８として、例えばフレキシブルフラット回路体などが用いられる。フレキシブルフラット回路体は、「Flexible Flat Cable」を意味し「ＦＦＣ」と略称される。フレキシブルフラット回路体は、複数の回路導体（図示せず）が絶縁シート（図示せず）に並設されることにより形成される。回路導体として、例えば、薄い条材、細い単線またはエナメル線などが用いられる。また、絶縁シートは、例えば、可撓性、寸法安定性、強度、摺動性、耐熱性、電気特性に優れるポリエチレンテレフタレート（ＰＥＴ）製のフィルムが用いられて形成される。
【００５６】
また、ＯＰＵ１，２，３，４を構成する不図示の各種電気／電子部品は、フレキシブルプリント回路体などのフレキシブル基板８に通電可能に接続される。フレキシブルプリント回路体（flexible printed circuit）は、「ＦＰＣ」と略称される。ＦＰＣ８は、複数の回路導体（図示せず）が例えば全芳香族系ポリイミド樹脂などの芳香族系耐熱性樹脂製の絶縁シート（図示せず）に印刷されて、例えば銅箔などの金属箔（図示せず）が絶縁シートに並設され、その上に例えば全芳香族系ポリイミド樹脂などの芳香族系耐熱性樹脂製の透明もしくは半透明の保護層（図示せず）が設けられて構成される。全芳香族系ポリイミド樹脂などの芳香族系耐熱性樹脂製の絶縁シートおよび／または保護層を備えるＦＰＣ８が用いられることにより、ＦＰＣ８に不図示の各種電気／電子部品が良好に半田付けされる。
【００５７】
ＦＰＣ８について詳しく説明すると、ＦＰＣ８に各種電子部品等が半田付けされて各部が通電可能に接続されるために、ＦＰＣ８の基部は、耐熱性に優れるポリイミド系樹脂などの耐熱性合成重合体が用いられて形成される。ポリイミド（polyimide）は、「ＰＩ」と略称される。ポリイミド樹脂が用いられて基部が形成されたＦＰＣとして、例えば、日東電工社製：ニトフレックス（登録商標）などが挙げられる。また、全芳香族系ポリイミド樹脂などのポリイミド樹脂が用いられて基部が形成されたＦＰＣとして、例えば、東レ・デュポン社製カプトン（登録商標）などが挙げられる。日東電工社製ニトフレックス（登録商標）の商品として、例えば、高精細ＦＰＣ（両面）、高精細ＦＰＣ、微細接続ＦＰＣ、高絶縁信頼性ＦＰＣ、高耐熱性ＦＰＣ、高屈曲ＦＰＣなどが挙げられる。また、東レ・デュポン社製カプトン（登録商標）の商品として、例えば、Ｈタイプ、Ｖタイプ、ＳｕｐｅｒＶタイプ、ＥＮタイプ、ＫＪタイプなどが挙げられる。東レ・デュポン社製カプトン（登録商標）は、約−２６９℃の極低温から約＋４００℃の高温までの広い温度範囲に使用可能なものとされている。
【００５８】
また、ＯＰＵ１，２，３，４が移動可能に装備されるスライドシャフトＳ１，Ｓ２の形成材料として、例えば、「ＪＩＳ  Ｇ  ４３０４」に基づいて定められた「熱間仕上ステンレス鋼棒」が挙げられる。また、スライドシャフトＳ１，Ｓ２の形成材料として、例えば、「ＪＩＳ  Ｇ  ４３１８」に基づいて定められた「冷間成形ステンレス鋼棒」が挙げられる。
【００５９】
具体的なステンレス材料として、クロム（Ｃｒ）が約１６〜１８％含有されると共にニッケル（Ｎｉ）が約６〜８％含有され加工性に優れるオーステナイト系ステンレス鋼（例：ＳＵＳ３０１）等が挙げられる。また、具体的なステンレス材料として、クロム（Ｃｒ）が約１３〜１９％含有されると共に硫黄（Ｓ）とリン（Ｐ）とが少量含有され快削性に優れるオーステナイト系ステンレス鋼（例：ＳＵＳ３０３）等が挙げられる。また、具体的なステンレス材料として、クロム（Ｃｒ）が約１８〜２０％含有されると共にニッケル（Ｎｉ）が約８〜１０．５％含有されて非磁性とされると共に耐食性に優れるオーステナイト系ステンレス鋼（例：ＳＵＳ３０４）等が挙げられる。オーステナイト系ステンレス鋼は、非磁性とされていることから、オーステナイト系ステンレス鋼材が用いられてスライドシャフトＳ１，Ｓ２が形成されていれば、例えばＯＰＵ１，２，３，４等に磁気による悪影響が及ぼされるということは回避される。また、上記ＳＵＳ３０４は、クロム（Ｃ
ｒ）が含有されると共にニッケル（Ｎｉ）が含有されることから、クロム−ニッケル系ステンレス鋼などと呼ばれる。
【００６０】
平面視略矩形板状をしたベース板１００上の第一評価部Ｎ１に第一ＯＰＵ１が装備される。また、平面視略矩形板状をしたベース板１００上の第二評価部Ｎ２に第二ＯＰＵ２が装備される。また、平面視略矩形板状をしたベース板１００上の第三評価部Ｎ３に第三ＯＰＵ３が装備される。また、平面視略矩形板状をしたベース板１００上の第四評価部Ｎ４に第四ＯＰＵ４が装備される。このＯＰＵ１，２，３，４の耐久試験装置３００は、複数（四つ）の評価部Ｎ１，Ｎ２，Ｎ３，Ｎ４を備えて構成される。平面視略矩形板状をしたベース板１００上の第一評価部Ｎ１と、第二評価部Ｎ２と、第三評価部Ｎ３と、第四評価部Ｎ４とは、例えば同一構成要素部材が用いられて構成される。
【００６１】
平面視略矩形板状をしたベース板１００上の各評価部Ｎ１，Ｎ２，Ｎ３，Ｎ４に、一対の略直方体状の固定基材１１０，１１０が備えられる。一対の固定基材１１０，１１０に、一対の略丸棒状をした長尺状スライドシャフトＳ１，Ｓ２が架設される。また、一対の略丸棒状をした長尺状スライドシャフトＳ１，Ｓ２に、各ＯＰＵ１，２，３，４が移動可能に装備される。
【００６２】
ＯＰＵ１，２，３，４のＯＢＬ７から出射されるレーザ光の光軸方向Ｄｆに対し略直交する方向Ｄｔであって、且つ、ＯＰＵ１，２，３，４を移動可能に支持可能な一対の略丸棒状をした長尺状スライドシャフトＳ１，Ｓ２の長手方向Ｄｒに対し略直交する方向Ｄｔに沿ってスライドシャフトＳ１，Ｓ２の位置がずらされることを防ぐ複数の位置決め部材ＰＮが、略直方体状の各固定基材１１０に取り付けられている。位置決め部材ＰＮは、略直方体状の固定基材１１０の上側に向けて立設された略丸棒状の位置決め用ピンＰＮとして形成されている。
【００６３】
固定基材１１０上において、位置決め用ピンＰＮにスライドシャフトＳ１，Ｓ２を押し当て、固定基材１１０の上側に螺刻された小径のねじ穴Ｓｑに小さい十字穴付さら小ねじＳｎを螺合させることにより、固定基材１１０上にスライドシャフトＳ１，Ｓ２が容易に固定される。詳しく説明すると、略一列上に並設された複数の略円柱状の位置決め用ピンＰＮに略円柱状のスライドシャフトＳ１，Ｓ２が押し当てられ、複数の固定基材１１０の上側において略一列上に螺設された複数の小径のねじ穴Ｓｑに小さい十字穴付さら小ねじＳｎが螺合されることにより、固定基材１１０上にスライドシャフトＳ１，Ｓ２が容易に固定される。各スライドシャフトＳ１，Ｓ２は、十字穴付さら小ねじＳｎの略逆円錐状頭部ならびに略円柱状本体部により、固定基材１１０上に固定される。
【００６４】
このＯＰＵ１，２，３，４の耐久試験装置３００は、例えば、各種部品等が装備される平面視略長方形をした一つのベース部材１００と、ベース部材１００を支持する複数の略棒状脚部１９０と、ベース部材１００上に設けられＯＰＵ１，２，３，４を移動可能に支持可能な複数の略丸棒状をした長尺状スライドシャフトＳ１，Ｓ２を支持／固定させる複数の略直方体状の固定基材１１０と、略直方体状の固定基材１１０に略丸棒状をした長尺状スライドシャフトＳ１，Ｓ２を位置決め固定させる複数の略丸棒状をした位置決め部材ＰＮと、略直方体状の固定基材１１０に略丸棒状をした長尺状スライドシャフトＳ１，Ｓ２を位置決めさせつつ固定させる複数のねじＳｎ等の止具Ｓｎとを備えて構成される。
【００６５】
また、図１の如く、このＯＰＵ１，２，３，４の耐久試験装置３００は、各ＯＰＵ１，２，３，４の耐久試験を実行可能なＯＰＵ１，２，３，４の耐久試験装置３００とされている。このＯＰＵ１，２，３，４の耐久試験装置３００は、一つの耐久試験装置３００で例えば四個までの複数のＯＰＵ１，２，３，４の耐久試験が同時に実行可能な耐久試験装置３００とされている。
【００６６】
図１に示すＯＰＵ１，２，３，４の耐久試験装置３００が構成されていれば、各ＯＰＵ１，２，３，４の耐久試験が効率よく行われる。例えば四個までの複数のＯＰＵ１，２，３，４の耐久試験が同時に実行可能なＯＰＵ１，２，３，４の耐久試験装置３００が用いられ、一つの耐久試験装置３００で各ＯＰＵ１，２，３，４の耐久試験が行われることにより、効率よく各ＯＰＵ１，２，３，４の耐久試験が行われる。また、複数のＯＰＵ１，２，３，４の耐久試験が同時に実行可能なＯＰＵ１，２，３，４の耐久試験装置３００が用いられて各ＯＰＵ１，２，３，４の耐久試験が行われることにより、一個のＯＰＵ１だけでなく、複数のＯＰＵ１，２，３，４の「ばらつき」を含めた各ＯＰＵ１，２，３，４の耐久性の評価を効率よく行うことが可能となる。
【００６７】
評価すべきＯＰＵ１，２，３，４の数や、耐久試験装置３００の使用状況／治工具などの都合等により、例えば一個のＯＰＵ１のみの耐久試験がＯＰＵ１，２，３，４の耐久試験装置３００によって行われてもよい。
【００６８】
このＯＰＵ１，２，３，４の耐久試験装置３００は、ＯＰＵ１，２，３，４を構成する摺動部６ａ，６ｂ，６ｃの繰返し摺動耐久試験、ならびに、ＯＰＵ１，２，３，４を支持可能な長尺状のスライドシャフトＳ１，Ｓ２を構成する摺動部Ｓ１ｒ，Ｓ２ｒの繰返し摺動耐久試験が、同時に実行可能なＯＰＵ１，２，３，４の耐久試験装置３００として構成されている。
【００６９】
図１〜図３に示すＯＰＵ１，２，３，４の耐久試験装置３００が構成されていれば、ＯＰＵ１，２，３，４を構成する摺動部６ａ，６ｂ，６ｃの繰返し摺動耐久試験、ならびに、ＯＰＵ１，２，３，４を支持可能な長尺状のスライドシャフトＳ１，Ｓ２を構成する摺動部Ｓ１ｒ，Ｓ２ｒの繰返し摺動耐久試験が、一台のＯＰＵ１，２，３，４の耐久試験装置３００にて効率よく行われる。一台のＯＰＵ１，２，３，４の耐久試験装置３００が用いられて、ＯＰＵ１，２，３，４を構成する摺動部６ａ，６ｂ，６ｃの繰返し摺動耐久試験、ならびに、ＯＰＵ１，２，３，４を支持可能な長尺状のスライドシャフトＳ１，Ｓ２を構成する摺動部Ｓ１ｒ，Ｓ２ｒの繰返し摺動耐久試験が同時に行われることにより、繰り返して摺動されたＯＰＵ１，２，３，４の摺動部６ａ，６ｂ，６ｃの解析、ならびに、ＯＰＵ１，２，３，４を支持可能な長尺状のスライドシャフトＳ１，Ｓ２の摺動部Ｓ１ｒ，Ｓ２ｒの解析をまとめて効率よく行うことが可能となる。
【００７０】
このＯＰＵ１，２，３，４の耐久試験装置３００は、ＯＰＵ１，２，３，４を構成し複数の滑り軸受部６ａ，６ｂ，６ｃを備えるハウジング５を支持可能な複数本の略丸棒状をした長尺状スライドシャフトＳ１，Ｓ２を装備可能な耐久試験装置３００として構成されている。複数本の略丸棒状をした長尺状スライドシャフトＳ１，Ｓ２上にて、複数本の略丸棒状スライドシャフトＳ１，Ｓ２の長手方向Ｄｒに沿って、ＯＰＵ１，２，３，４を構成し複数の滑り軸受部６ａ，６ｂ，６ｃを備えるハウジング５の往復移動が可能とされている。
【００７１】
往復動耐久試験が行われるときに、ＯＰＵ１，２，３，４の耐久試験装置３００が用いられることにより、各ＯＰＵ１，２，３，４の往復動耐久試験が確実に行われる。複数本の略丸棒状をした長尺状スライドシャフトＳ１，Ｓ２に支持されたＯＰＵ１，２，３，４を構成し複数の滑り軸受部６ａ，６ｂ，６ｃを備えるハウジング５が、複数本の略丸棒状をした長尺状スライドシャフトＳ１，Ｓ２上にて、複数本の略丸棒状スライドシャフトＳ１，Ｓ２の長手方向Ｄｒに沿って往復移動させられることにより、各ＯＰＵ１，２，３，４を構成し複数の滑り軸受部６ａ，６ｂ，６ｃを備えるハウジング５の各滑り軸受部６ａ，６ｂ，６ｃの往復動耐久試験が確実に行われる。
【００７２】
また、各ＯＰＵ１，２，３，４の往復動耐久試験が行われることにより、各ＯＰＵ１，２，３，４の摺動部６ａ，６ｂ，６ｃや、各スライドシャフトＳ１，Ｓ２の摺動部Ｓ１ｒ，Ｓ２ｒなどの詳細な解析を効率よく行うことが可能となる。具体的に説明すると、各ＯＰＵ１，２，３，４の往復動耐久試験が行われることにより、ＯＰＵ１，２，３，４を構成するハウジング５の各滑り軸受部６ａ，６ｂ，６ｃの損耗状態や、ＯＰＵ１，２，３，４のハウジング５を支持可能な略丸棒状をした長尺状各スライドシャフトＳ１，Ｓ２の摺動部Ｓ１ｒ，Ｓ２ｒにおける損耗状態等の詳細な解析を効率よく行うことが可能となる。
【００７３】
ＯＰＵ１，２，３，４の往復動耐久試験が行われるときに、例えば略丸棒状をした長尺状スライドシャフトＳ１，Ｓ２上にグリース等の半固形状潤滑剤が塗布されてＯＰＵ１，２，３，４の往復動耐久試験が行われることもある。
【００７４】
また、ＯＰＵ１，２，３，４の設計／仕様などにより、例えばハウジング５の本体５ａに一体成形された滑り軸受部６ａ，６ｂ，６ｃに代えて、ハウジング５と別体の略円筒状の銅製滑り軸受部材（図示せず）が軸受部（６ａ，６ｂ，６ｃ）に装備されてもよい。なお、この明細書において、符号に付けられた括弧（  ）は、図示されたものと若干異なる形状のものを説明するために、便宜上、用いられている。
【００７５】
例えばこのＯＰＵ（１，２，３，４）の耐久試験装置３００は、ＯＰＵ（１，２，３，４）を構成するハウジング（５）に嵌合装着された複数の略円筒状滑り軸受（６ａ，６ｂ，６ｃ）を介して、嵌合滑り軸受（６ａ，６ｂ，６ｃ）付ハウジング（５）を支持可能な複数本の略丸棒状をした長尺状スライドシャフトＳ１，Ｓ２が装備可能なものとされている。複数本の略丸棒状をした長尺状スライドシャフトＳ１，Ｓ２上にて、複数本の略丸棒状スライドシャフトＳ１，Ｓ２の長手方向Ｄｒに沿って、ＯＰＵ（１，２，３，４）を構成するハウジング（５）に嵌合装着された複数の略円筒状滑り軸受（６ａ，６ｂ，６ｃ）を介して、嵌合滑り軸受（６ａ，６ｂ，６ｃ）付ハウジング（５）の往復移動が可能とされている。
【００７６】
往復動耐久試験が行われるときに、ＯＰＵ（１，２，３，４）の耐久試験装置３００が用いられることにより、各ＯＰＵ（１，２，３，４）の往復動耐久試験が確実に行われる。ＯＰＵ（１，２，３，４）を構成するハウジング（５）に嵌合装着された複数の略円筒状滑り軸受（６ａ，６ｂ，６ｃ）を介して、嵌合滑り軸受（６ａ，６ｂ，６ｃ）付ハウジング（５）が複数本の略丸棒状をした長尺状スライドシャフトＳ１，Ｓ２上にて、複数本の略丸棒状スライドシャフトＳ１，Ｓ２の長手方向Ｄｒに沿って往復移動させられることにより、ＯＰＵ（１，２，３，４）を構成するハウジング（５）に嵌合装着された複数の略円筒状滑り軸受（６ａ，６ｂ，６ｃ）の往復動耐久試験が確実に行われる。
【００７７】
また、各ＯＰＵ（１，２，３，４）の往復動耐久試験が行われることにより、各ＯＰＵ（１，２，３，４）の摺動部（６ａ，６ｂ，６ｃ）や、各スライドシャフトＳ１，Ｓ２の摺動部Ｓ１ｒ，Ｓ２ｒなどの詳細な解析を効率よく行うことが可能となる。具体的に説明すると、各ＯＰＵ（１，２，３，４）の往復動耐久試験が行われることにより、ＯＰＵ（１，２，３，４）を構成するハウジング（５）に嵌合装着された各略円筒状滑り軸受（６ａ，６ｂ，６ｃ）の損耗状態や、ＯＰＵ（１，２，３，４）のハウジング（５）を支持可能な略丸棒状をした長尺状各スライドシャフトＳ１，Ｓ２の摺動部Ｓ１ｒ，Ｓ２ｒにおける損耗状態等の詳細な解析を効率よく行うことが可能となる。
【００７８】
このＯＰＵ１，２，３，４の耐久試験装置３００は、ＯＰＵ１，２，３，４のＯＢＬ７から出射されるレーザ光の光軸方向Ｄｆに対し略直交する方向Ｄｔに略沿って、ＯＰＵ１，２，３，４に側圧をかけることが可能とされると共に、ＯＰＵ１，２，３，４を支持可能な複数本の略丸棒状をした長尺状スライドシャフトＳ１，Ｓ２の長手方向Ｄｒに対し略
直交する方向Ｄｔに略沿って、ＯＰＵ１，２，３，４に側圧をかけることが可能な耐久試験装置３００とされている。
【００７９】
具体的に説明すると、このＯＰＵ１，２，３，４の耐久試験装置３００は、ＯＰＵ１，２，３，４のＯＢＬ７から出射されるレーザ光の光軸方向Ｄｆに対し略直交する方向Ｄｔであって、且つ、ＯＰＵ１，２，３，４を支持可能な複数本の略丸棒状をした長尺状スライドシャフトＳ１，Ｓ２の長手方向Ｄｒに対し略直交する方向Ｄｔに略沿って、ＯＰＵ１，２，３，４に側圧をかけることが可能な耐久試験装置３００とされている。
【００８０】
各ＯＰＵ１，２，３，４の耐久試験が行われるときに、このＯＰＵ１，２，３，４の耐久試験装置３００が用いられることにより、各ＯＰＵ１，２，３，４に側圧がかけられた状態で各ＯＰＵ１，２，３，４の耐久試験が行われる。各ＯＰＵ１，２，３，４に側圧がかけられて各ＯＰＵ１，２，３，４の耐久試験が行われることにより、実際にＯＰＵ１，２，３，４が不図示の光ディスク装置に装備されて使用される条件下により近い条件下で、各ＯＰＵ１，２，３，４の耐久性の評価が行われる。
【００８１】
各ＯＰＵ１，２，３，４への側圧のかけ方について、より具体的に説明すると、ＯＰＵ１，２，３，４の耐久試験装置３００の略平板状駆動力振分部材６１／６２に立設された背の高い略長尺丸棒状のピン８１，８２／８３，８４に代えて、例えば背の低い略丸棒状の駆動力伝達部材（８１，８２／８３，８４）が、ＯＰＵ（１，２，３，４）の耐久試験装置（３００）の略平板状をした駆動力振分部材６１／６２に装備される。その場合、各連結板（９１，９２，９３，９４）の通孔（９０ｈ）に背の高い長尺状をした略丸棒状のピン（８１，８２／８３，８４）の雄ねじ部（図示せず）が通され、各ＯＰＵ（１，２，３，４）のハウジング（５ａ）に設けられた雌ねじ部（５ｈ）に、背の高い長尺状をした略丸棒状のピン（８１，８２，８３，８４）の不図示の雄ねじ部が螺合されて、各ＯＰＵ（１，２，３，４）のハウジング（５ａ）に、背の高い長尺状をした略丸棒状のピン（８１，８２，８３，８４）が立設される。
【００８２】
また、ＯＰＵ１，２，３，４のＯＢＬ７から出射されるレーザ光の光軸方向Ｄｆに対し略直交する方向Ｄｔであって、且つ、ＯＰＵ１，２，３，４を支持可能な複数本の略丸棒状をした長尺状スライドシャフトＳ１，Ｓ２の長手方向Ｄｒに対し略直交する方向Ｄｔに略沿って、複数（各二個）のＯＰＵ１，２／３，４が並設されている。また、複数（二個）のＯＰＵ（１，２／３，４）に側圧をかける引張コイルばね又は圧縮コイルばね（何れも図示せず）が、背の高い長尺状をした各略丸棒状のピン（８１，８２／８３，８４）に装備可能とされている。例えば不図示の光ディスクに対する（ＯＰＵ１，２）のタンジェンシャル方向（Ｄｔ）に略沿って互いに隣り合う一対（二つ）の略丸棒状ピン（８１，８２）の「ばね取付部」（８０）例えば「ばね取付溝」（８０）に、不図示の引張コイルばね又は圧縮コイルばねが架け渡されるように取り付けられる。また、例えば不図示の光ディスクに対する（ＯＰＵ３，４）のタンジェンシャル方向（Ｄｔ）に略沿って互いに隣り合う一対（二つ）の略丸棒状ピン（８３，８４）の「ばね取付部」（８０）例えば「ばね取付溝」（８０）に、不図示の引張コイルばね又は圧縮コイルばねが架け渡されるように取り付けられる。
【００８３】
これにより、各ＯＰＵ１，２，３，４に例えば側圧がかけられた状態で各ＯＰＵ１，２，３，４の耐久試験が行われることとなる。各ＯＰＵ（１，２，３，４）のハウジング（５ａ）に立設された略丸棒状のピン（８１，８２／８３，８４）の「ばね取付部」（８０）例えば「ばね取付溝」（８０）に不図示の引張コイルばね又は圧縮コイルばねが装備され、各引張コイルばね又は各圧縮コイルばねによって複数（二個）のＯＰＵ（１，２／３，４）が引き寄せられようとされたり引き離されようとされたりすることにより、各二個のＯＰＵ（１，２／３，４）に容易に側圧がかけられる。
【００８４】
また、各ＯＰＵ１，２，３，４への側圧のかけ方について、より具体的な側圧のかけ方について説明する。ＯＰＵ１，２，３，４の耐久試験装置３００の略平板状駆動力振分部材６１／６２に、背の高い略長尺丸棒状のピン８１，８２／８３，８４が立設されている。また、各連結板（９１，９２，９３，９４）の通孔（９０ｈ）に他の背の高い長尺状をした略丸棒状のピン（８１，８２／８３，８４）の不図示の雄ねじ部が通され、各ＯＰＵ（１，２，３，４）のハウジング（５ａ）に設けられた雌ねじ部（５ｈ）に、他の背の高い長尺状をした略丸棒状のピン（８１，８２，８３，８４）の不図示の雄ねじ部が螺合されて、各ＯＰＵ（１，２，３，４）のハウジング（５ａ）に、背の高い長尺状をした略丸棒状のピン（８１，８２，８３，８４）が立設される。
【００８５】
例えば不図示の光ディスクに対するＯＰＵ１のタンジェンシャル方向Ｄｔに略沿って互いに隣り合う一対（二つ）の略丸棒状ピン８１，（８１）の「ばね取付溝」８０に、不図示の両端略丸フック状の引張コイルばねが架け渡されるように取り付けられる。また、例えば不図示の光ディスクに対するＯＰＵ２のタンジェンシャル方向Ｄｔに略沿って互いに隣り合う一対（二つ）の略丸棒状ピン８２，（８２）の「ばね取付溝」８０に、不図示の両端略丸フック状の引張コイルばねが架け渡されるように取り付けられる。
【００８６】
また、例えば不図示の光ディスクに対するＯＰＵ３のタンジェンシャル方向Ｄｔに略沿って互いに隣り合う一対（二つ）の略丸棒状ピン８３，（８３）の「ばね取付溝」８０に、不図示の両端略丸フック状の引張コイルばねが架け渡されるように取り付けられる。また、例えば不図示の光ディスクに対するＯＰＵ４のタンジェンシャル方向Ｄｔに略沿って互いに隣り合う一対（二つ）の略丸棒状ピン８４，（８４）の「ばね取付溝」８０に、不図示の両端略丸フック状の引張コイルばねが架け渡されるように取り付けられる。
【００８７】
これにより、各ＯＰＵ１，２，３，４に例えば側圧がかけられた状態で各ＯＰＵ１，２，３，４の耐久試験が行われることとなる。各駆動力振分部材６１／６２ならびに各連結板９１，９２／９３，９４に立設された略丸棒状のピン８１，８１，８２，８２／８３，８３，８４，８４の「ばね取付溝」８０に両端略丸フック状の引張コイルばねが装備され、各引張コイルばねによって例えば各ＯＰＵ１，２／３，４が駆動力振分部材６１／６２側に引き寄せられようとされることにより、各ＯＰＵ１，２／３，４に容易に側圧がかけられる。
【００８８】
なお、例えば引張コイルばね又は圧縮コイルばね以外の他の弾性部材（図示せず）が用いられて、複数（二個）のＯＰＵ（１，２／３，４）が引き寄せられようとされたり引き離されようとされたりすることにより、各二個のＯＰＵ（１，２／３，４）に容易に側圧がかけられるようにされてもよい。各ＯＰＵ（１，２，３，４）に側圧がかけられた状態で各ＯＰＵ（１，２，３，４）の耐久試験が行われることにより、実際にＯＰＵ（１，２，３，４）が不図示の光ディスク装置に装備されて使用される条件下により近い条件下で、各ＯＰＵ（１，２，３，４）の耐久性の評価が行われることとなる。
【００８９】
引張コイルばね又は圧縮コイルばねとして、例えば「ＪＩＳ  Ｂ  ２７０４」に基づく引張コイルばね又は圧縮コイルばねが使用可能とされている。背の高い長尺状をした略丸棒状のピン８１，８２，８３，８４に掛け止められる引張コイルばねのフック部の形状は、例えば、半丸フック、丸フック、逆丸フック、側面丸フック、角フック、Ｕフック、Ｖフック、絞り丸フック、ねじ込みフック、斜め丸フック状などに形成される。例えば、引張コイルばねのフック部の形状が、コイル両端部におけるコイルの一巻を起こしてフック部を形成させた丸フック状に形成されていると、背の高い長尺状をした略丸棒状のピン８１，８２，８３，８４に穿設された略Ｕ字状ばね取付溝８０に引張コイルばねのフック部を確実に掛け止めさせやすくなり好ましい。このＯＰＵ１，２，３，４の耐久試験装置３
００は、「ＪＩＳ  Ｂ  ２７０４」に基づく引張コイルばね又は圧縮コイルばねが使用可能なＯＰＵ１，２，３，４の耐久試験装置３００とされている。ここでは、「ＪＩＳ  Ｂ
２７０４」に基づく引張コイルばね又は圧縮コイルばねに関する詳細な説明を省略する。
【００９０】
ＯＰＵ１，２，３，４の下側に、ＯＰＵ１，２，３，４を構成するＦＰＣ８を例えば正面視略曲線を描くように撓ませつつ屈曲させる下側板１３０が装備可能とされている。また、これと共に、ＯＰＵ１，２，３，４の上側に、ＯＰＵ１，２，３，４を構成するＦＰＣ８を例えば正面視略曲線を描くように撓ませつつ屈曲させる上側板１４０が装備可能とされている。ＯＰＵ１，２，３，４が複数の略丸棒状をした長尺状スライドシャフトＳ１，Ｓ２に装備されると共に、各スライドシャフトＳ１，Ｓ２の長手方向Ｄｒに略沿ってＯＰＵ１，２，３，４が往復移動させられることにより、下側板１３０と上側板１４０との隙間にて、ＦＰＣ８の繰返し折曲げ耐久試験が実行可能とされている。
【００９１】
これにより、各ＯＰＵ１，２，３，４を構成するＦＰＣ８の繰返し折曲げ耐久試験が、ＯＰＵ１，２，３，４の耐久試験装置３００にて効率よく確実に行われる。ＦＰＣ８の繰返し折曲げ耐久試験が行われるときに、ＯＰＵ１，２，３，４の下側に、ＯＰＵ１，２，３，４を構成するＦＰＣ８を例えば正面視略曲線を描くように撓ませつつ屈曲させる下側板１３０が装備される。また、これと共に、ＦＰＣ８の繰返し折曲げ耐久試験が行われるときに、ＯＰＵ１，２，３，４の上側に、ＯＰＵ１，２，３，４を構成するＦＰＣ８を例えば正面視略曲線を描くように撓ませつつ屈曲させる上側板１４０が装備される。また、ＯＰＵ１，２，３，４が複数の略丸棒状をした長尺状スライドシャフトＳ１，Ｓ２に装備される。各スライドシャフトＳ１，Ｓ２の長手方向Ｄｒに略沿ってＯＰＵ１，２，３，４が往復移動させられることにより、下側板１３０と上側板１４０との隙間にて、ＦＰＣ８の繰返し折曲げ耐久試験が行われる。ＯＰＵ１，２，３，４の耐久試験装置３００が用いられて、各ＯＰＵ１，２，３，４を構成するＦＰＣ８の屈曲耐久試験が行われることにより、繰り返して屈曲された各ＦＰＣ８の疲労および／または損耗状態等の詳細な解析を効率よく行うことが可能となる。
【００９２】
各ＯＰＵ１，２，３，４の上側に略平板状の上側板１４０が装備されるときに、ＯＰＵ１，２，３，４に対する略平板状上側板１４０の取付高さを調整可能な略平板状の調整部材１２０が固定基材１１０上に載置され、さらに略平板状調整部材１２０上に略平板状上側板１４０が載置される。ＯＰＵ１，２，３，４に対する略平板状上側板１４０の取付高さを調整可能な略平板状の調整部材１２０が、固定基材１１０上に装備可能とされている。固定基材１１０の上側に螺刻された大径のねじ穴Ｓｐに大きい十字穴付さら小ねじＳｍを螺合させることにより、略平板状調整部材１２０と略平板状上側板１４０とが合わせられた状態で固定基材１１０上に固定される。略平板状調整部材１２０は、ＯＰＵ１，２，３，４に対する略平板状上側板１４０の取付高さを調整可能なスペーサ１２０として形成されている。
【００９３】
このＯＰＵ１，２，３，４の耐久試験装置３００は、ＯＰＵ１，２，３，４を構成するＦＰＣ８を例えば正面視略曲線を描くように撓ませつつ屈曲させる上側可撓促進部１４０および／または下側可撓促進部１３０を装備可能な耐久試験装置３００とされている。
【００９４】
これにより、各ＯＰＵ１，２，３，４を構成するＦＰＣ８の屈曲耐久試験は、実際にＯＰＵ１，２，３，４が不図示の光ディスク装置に装備されて使用される条件下に近い条件下で行われる。ＦＰＣ８を例えば正面視略曲線を描くように撓ませつつ屈曲させる上側可撓促進部１４０および／または下側可撓促進部１３０に対し、ＦＰＣ８が繰り返して屈曲されることにより、繰り返して屈曲された各ＦＰＣ８に対する実際的な疲労および／または損耗状態等の解析を効率よく行うことが可能となる。
【００９５】
このＯＰＵ１，２，３，４の耐久試験装置３００は、ＯＰＵ１，２，３，４を構成するＦＰＣ８を例えば正面視略曲線を描くように撓ませつつ屈曲させる上側板１４０および／または下側板１３０を装備可能な耐久試験装置３００とされている。上側板１４０の下側に、ＦＰＣ８が屈曲されつつ摺接される摺動特性に優れたシート部材１５０が装着可能とされている。詳しく説明すると、上側板１４０のＯＰＵ１，２，３，４側に、ＦＰＣ８が屈曲されつつ摺接されるフッ素樹脂材を備えたシート部材１５０が接着されて装着される。
【００９６】
これにより、各ＯＰＵ１，２，３，４を構成するＦＰＣ８の屈曲耐久試験は、実際にＯＰＵ１，２，３，４が不図示の光ディスク装置に装備されて使用される条件下により近い条件下で行われる。ＦＰＣ８が屈曲されつつ摺接されるフッ素樹脂材を備えたシート部材１５０が、ＯＰＵ１，２，３，４を構成するＦＰＣ８を例えば正面視略曲線を描くように撓ませつつ屈曲させる上側板１４０に接着されて装着されることにより、例えば繰り返して屈曲されたＦＰＣ８における損耗の発生が防止され易くなる。ＦＰＣ８を例えば正面視略曲線を描くように撓ませつつ屈曲させる上側板１４０に接着されて装着されたフッ素樹脂材を備えるシート部材１５０に対し、ＦＰＣ８が繰り返して屈曲されつつ摺接されることにより、繰り返して屈曲された各ＦＰＣ８に対するより実際的な疲労および／または損耗状態等の解析を効率よく行うことが可能となる。
【００９７】
摺動特性に優れたシート部材１５０を構成するフッ素樹脂材として、例えば四フッ化エチレン樹脂（Poly Tetra Fluoro Ethylene：ＰＴＦＥ）等が挙げられる。例えばＰＴＦＥ製シート材として、ダイキン工業社製：ニューポリフロン（登録商標）ＰＴＦＥ等が挙げられる。具体的なＰＴＦＥ製シート材として、ダイキン工業社製：ニューポリフロン（登録商標）ＰＴＦＥ「Ｍ−１１１」等が挙げられる。また、摺動特性に優れたシート部材１５０として、例えば柔らかく耐久性に優れる不織布などが使用可能とされる。不織布として、例えば日本バイリーン社製：不織布などが挙げられる。
【００９８】
このＯＰＵ１，２，３，４の耐久試験装置３００は、ＯＰＵ１，２，３，４を構成する摺動部６ａ，６ｂ，６ｃの繰返し摺動耐久試験、および、ＯＰＵ１，２，３，４を支持可能な長尺状のスライドシャフトＳ１，Ｓ２を構成する摺動部Ｓ１ｒ，Ｓ２ｒの繰返し摺動耐久試験、ならびに、ＯＰＵ１，２，３，４を構成するＦＰＣ８の繰返し折曲げ耐久試験が同時に実行可能なＯＰＵ１，２，３，４の耐久試験装置３００として構成されている。
【００９９】
図１〜図３に示すＯＰＵ１，２，３，４の耐久試験装置３００が構成されていれば、ＯＰＵ１，２，３，４を構成する摺動部６ａ，６ｂ，６ｃの繰返し摺動耐久試験、および、ＯＰＵ１，２，３，４を支持可能な長尺状のスライドシャフトＳ１，Ｓ２を構成する摺動部Ｓ１ｒ，Ｓ２ｒの繰返し摺動耐久試験、ならびに、ＯＰＵ１，２，３，４を構成するＦＰＣ８の繰返し折曲げ耐久試験が、一台のＯＰＵ１，２，３，４の耐久試験装置３００にて同時に実行可能となる。一台のＯＰＵ１，２，３，４の耐久試験装置３００が用いられて、ＯＰＵ１，２，３，４を構成する摺動部６ａ，６ｂ，６ｃの繰返し摺動耐久試験、および、ＯＰＵ１，２，３，４を支持可能な長尺状のスライドシャフトＳ１，Ｓ２を構成する摺動部Ｓ１ｒ，Ｓ２ｒの繰返し摺動耐久試験、ならびに、ＯＰＵ１，２，３，４を構成するＦＰＣ８の屈曲耐久試験が行われることにより、繰り返して摺動されたＯＰＵ１，２，３，４の摺動部６ａ，６ｂ，６ｃの解析、および、ＯＰＵ１，２，３，４を支持可能な長尺状のスライドシャフトＳ１，Ｓ２の摺動部Ｓ１ｒ，Ｓ２ｒの解析、ならびに、繰り返して屈曲されたＦＰＣ８の解析をまとめて効率よく行うことが可能となる。
【０１００】
このＯＰＵ１，２，３，４の耐久試験装置３００は、ＯＰＵ１，２，３，４の下側に装備されＯＰＵ１，２，３，４を構成するＦＰＣ８を例えば正面視略曲線を描くように撓ま
せつつ屈曲させる略直方体形状の下側板１３０と、ＯＰＵ１，２，３，４の上側に装備されＯＰＵ１，２，３，４を構成するＦＰＣ８を例えば正面視略曲線を描くように撓ませつつ屈曲させる略平板形状の上側板１４０と、上側板１４０のＯＰＵ１，２，３，４側に取り付けられＯＰＵ１，２，３，４を構成するＦＰＣ８の屈曲／摺接耐久寿命を向上させるシート部材１５０と、ＯＰＵ１，２，３，４に対する略平板状上側板１４０の取付高さを調整可能な略平板形状の調整部材１２０と、略平板形状の調整部材１２０と略平板形状の上側板１４０とを重ね合わせた状態で固定基材１１０上に固定させるねじＳｍ等の止具Ｓｍとを備えて構成される。
【０１０１】
また、このＯＰＵ１，２，３，４の耐久試験装置３００は、耐久試験装置３００に電気を供給可能な電源部１０と、電源部１０から電線１２を介して電気が供給されて通電されることにより一本の回動軸２３を回動駆動させる一つのモータ２０と、モータ２０により発せられた回動軸２３の回動力を往復駆動力に変換させる各駆動力変換部材３０，４１，４２，４３，４４，４５，５１，５２と、往復駆動力を伝達させる各往復駆動力伝達部材６１，６２，７１，７２，８１，８２，８３，８４，９１，９２，９３，９４とを備えて構成されている。
【０１０２】
これにより、各ＯＰＵ１，２，３，４の往復動耐久試験を実施可能なＯＰＵ１，２，３，４の耐久試験装置３００が構成される。耐久試験装置３００に電気を供給可能な電源部１０と、電源部１０から電線１２を介して電気が供給されて通電されることにより一本の回動軸２３を回動駆動させる一つのモータ２０と、モータ２０により発せられた回動軸２３の回動力を往復駆動力に変換させる各駆動力変換部材３０，４１，４２，４３，４４，４５，５１，５２と、往復駆動力を伝達させる各往復駆動力伝達部材６１，６２，７１，７２，８１，８２，８３，８４，９１，９２，９３，９４とを備える一つのＯＰＵ１，２，３，４の耐久試験装置３００が構成されていれば、各ＯＰＵ１，２，３，４は確実に往復動移動させられる。各ＯＰＵ１，２，３，４が確実に往復動移動させられるので、各ＯＰＵ１，２，３，４の耐久試験は効率よく行われることとなる。
【０１０３】
ＯＰＵ１，２，３，４の耐久試験装置３００を構成する平面視略長方形の略平板状べース板１００は、複数の略棒状脚部１９０により高い位置に支えられている。また、電源部１０およびモータ２０は、略平板状べース板１００の下側に垂設されている。また、電源部１０を保護する略折曲げ板状の電源保護部材１８０が、電源部１０の近傍であって略平板状べース板１００の下側に垂設されている。このＯＰＵ１，２，３，４の耐久試験装置３００は、平面視略長方形の略平板状べース板１００の下側において、上記略棒状脚部１９０と、上記電源部１０と、上記電源保護部材１８０と、上記モータ２０とを備えて構成されている。
【０１０４】
また、駆動力変換部材３０は、モータ２０の回動軸２３に取り付けられた例えば略円板状部を備える回動部材３０として形成されている。
【０１０５】
また、駆動力変換部材４１，４２，４３，４４は、例えば自在に角度を変えることが可能な球面ブッシュ４０を備えるロッド４１，４２，４３，４４として形成されている。駆動力変換部材４１，４２は、略円板状部を備えた回動部材３０に可動状態で取り付けられた例えば球面ブッシュ４０を備えるロッド４１，４２として形成されている。
【０１０６】
駆動力変換部材５１は、一対の球面ブッシュ４０を備えるロッド４１，４３を連結する略棒状の連結部材５１として形成されている。また、駆動力変換部材４３は、往復駆動力伝達部材６１に可動状態で取り付けられた例えば球面ブッシュ４０を備えるロッド４３として形成されている。また、駆動力変換部材４５は、球面ブッシュ４０を備える駆動力変換部材４３と、往復駆動力伝達部材６１とを可動状態で繋ぐ高さ調整用部材４５例えばカ
ラーとして形成されている。また、往復駆動力伝達部材６１は、高さ調整用部材４５を介して球面ブッシュ４０を備えるロッド４３に連結された略板状の駆動力振分部材６１として形成されている。
【０１０７】
また、往復駆動力伝達部材７１は、略板状の駆動力振分部材６１の下側に取り付けられた略矩形箱状の直線スライド部材７１として形成されている。略矩形箱状の直線スライド部材７１は、直線スライド部材７１に対応しベース板１００上に固定された略矩形棒状の直線スライドレール案内部材７６上を往復移動する。略矩形棒状の直線スライドレール案内部材７６は、略丸棒状のスライドシャフトＳ１，Ｓ２の長手方向Ｄｒに沿って延設されている。
【０１０８】
また、往復駆動力伝達部材８１，８２は、略板状の駆動力振分部材６１に上側に向けて立設されたピン８１，８２として形成されている。
【０１０９】
また、往復駆動力伝達部材９１は、略板状の駆動力振分部材６１に立設されたピン８１に可動状態で掛止される連結板９１として形成されている。ＯＰＵ１，２，３，４の耐久試験装置３００が平面視されたときに、略板状の駆動力振分部材６１上に異形板状の連結板９１が重ねられる。また、往復駆動力伝達部材９２は、略板状の駆動力振分部材６１に立設されたピン８２に可動状態で掛止される連結板９２として形成されている。ＯＰＵ１，２，３，４の耐久試験装置３００が平面視されたときに、略板状の駆動力振分部材６１上に異形板状の連結板９２が重ねられる。
【０１１０】
また、第一連結板９１は、第一ＯＰＵ１のハウジング５に固定される。第一連結板９１の通孔９０ｈに例えば十字穴付き小ねじ等の止具（図示せず）が通され、第一ＯＰＵ１のハウジング本体５ａに設けられた雌ねじ孔部５ｈに不図示とされる十字穴付き小ねじ等の止具の雄ねじ部が螺合されて、第一ＯＰＵ１のハウジング５に第一連結板９１が固定される。また、第二連結板９２は、第二ＯＰＵ２のハウジング５に固定される。第二連結板９２の通孔９０ｈに例えば不図示の十字穴付き小ねじ等の止具が通され、第二ＯＰＵ２のハウジング本体５ａに設けられた雌ねじ孔部５ｈに不図示とされる十字穴付き小ねじ等の止具の雄ねじ部が螺合されて、第二ＯＰＵ２のハウジング５に第二連結板９２が固定される。
【０１１１】
また、駆動力変換部材５２は、一対の球面ブッシュ４０を備えるロッド４２，４４を連結する略棒状の連結部材５２として形成されている。また、駆動力変換部材４４は、往復駆動力伝達部材６２に可動状態で取り付けられた例えば球面ブッシュ４０を備えるロッド４４として形成されている。また、往復駆動力伝達部材６２は、球面ブッシュ４０を備えるロッド４４に連結された略板状の駆動力振分部材６２として形成されている。
【０１１２】
また、往復駆動力伝達部材７２は、略板状の駆動力振分部材６２の下側に取り付けられた略矩形箱状の直線スライド部材７２として形成されている。略矩形箱状の直線スライド部材７２は、直線スライド部材７２に対応しベース板１００上に固定された略矩形棒状の直線スライドレール案内部材７７上を往復移動する。略矩形棒状の直線スライドレール案内部材７７は、略丸棒状のスライドシャフトＳ１，Ｓ２の長手方向Ｄｒに沿って延設されている。
【０１１３】
また、往復駆動力伝達部材８３，８４は、略板状の駆動力振分部材６２に上側に向けて立設されたピン８３，８４として形成されている。
【０１１４】
また、往復駆動力伝達部材９３は、略板状の駆動力振分部材６２に立設されたピン８３に可動状態で掛止される連結板９３として形成されている。ＯＰＵ１，２，３，４の耐久
試験装置３００が平面視されたときに、略板状の駆動力振分部材６２上に異形板状の連結板９３が重ねられる。また、往復駆動力伝達部材９４は、略板状の駆動力振分部材６２に立設されたピン８４に可動状態で掛止される連結板９４として形成されている。ＯＰＵ１，２，３，４の耐久試験装置３００が平面視されたときに、略板状の駆動力振分部材６２上に異形板状の連結板９４が重ねられる。
【０１１５】
また、第三連結板９３は、第三ＯＰＵ３のハウジング５に固定される。第三連結板９３の通孔９０ｈに例えば不図示の十字穴付き小ねじ等の止具が通され、第三ＯＰＵ３のハウジング本体５ａに設けられた雌ねじ孔部５ｈに不図示とされる十字穴付き小ねじ等の止具の雄ねじ部が螺合されて、第三ＯＰＵ３のハウジング５に第三連結板９３が固定される。また、第四連結板９４は、第四ＯＰＵ４のハウジング５に固定される。第四連結板９４の通孔９０ｈに例えば不図示の十字穴付き小ねじ等の止具が通され、第四ＯＰＵ４のハウジング本体５ａに設けられた雌ねじ孔部５ｈに不図示とされる十字穴付き小ねじ等の止具の雄ねじ部が螺合されて、第四ＯＰＵ４のハウジング５に第四連結板９４が固定される。
【０１１６】
このＯＰＵ１，２，３，４の耐久試験装置３００に装備される「ねじ」は、十字穴付小ねじ、すり割り付小ねじ等の各種ねじが用いられる。十字穴付小ねじ、すり割り付小ねじ等の小ねじとして、例えば、丸小ねじ、なべ小ねじ、平小ねじ、丸平小ねじ、さら小ねじ、丸さら小ねじ、トラス小ねじ、バインド小ねじ等が挙げられる。このＯＰＵ１，２，３，４の耐久試験装置３００は、「ＪＩＳ  Ｂ  １１０１」に基づく「すり割り付小ねじ」や、「ＪＩＳ  Ｂ  １１１１」に基づく「十字穴付小ねじ」等が使用可能なＯＰＵ１，２，３，４の耐久試験装置３００とされている。ここでは、「ＪＩＳ  Ｂ  １１０１」に基づいた「すり割り付小ねじ」に関する詳細な説明や、「ＪＩＳ  Ｂ  １１１１」に基づいた「十字穴付小ねじ」に関する詳細な説明を省略する。
【０１１７】
平面視略長方形の略平板状べース板１００の前側に垂設された電源部１０からコード１２を経由して平面視略長方形の略平板状べース板１００の略中央に垂設されたモータ２０に電気が流されてモータ２０の回動軸２３が回動すると、モータ２０の回動軸２３に取り付けられ略円板状部を備えた回動部材３０も回動する。略円板状部を備えた回動部材３０が回動すると、駆動力は、左側の第一の球面ブッシュ４０を備えるロッド４１側と、右側の第二の球面ブッシュ４０を備えるロッド４２側とに振り分けられる。
【０１１８】
略円板状部を備えた回動部材３０が回動すると、回動力は、略棒状の第一連結部材５１によって連結された一対の球面ブッシュ４０を備えるロッド４１，４３により往復駆動力に変えられて、略板状の第一駆動力振分部材６１に往復駆動力として伝えられる。
【０１１９】
略板状の第一駆動力振分部材６１の下側に固定された略矩形箱状の第一直線スライド部材７１が、略矩形棒状の第一直線スライドレール案内部材７６によって案内されつつ往復移動させられることにより、第一駆動力振分部材６１は、スライドシャフトＳ１，Ｓ２の長手方向Ｄｒに略沿って精度よく往復移動させられる。
【０１２０】
略板状の第一駆動力振分部材６１の上側に向けて立設された略丸棒状の第一ピン８１の略円柱状基部に、第一ＯＰＵ１にねじ等による止具固定された第一連結板９１の略Ｕ字状凹部が掛止されることにより、第一駆動力振分部材６１の往復動に伴って、第一評価部Ｎ１に備えられたスライドシャフトＳ１，Ｓ２上の第一ＯＰＵ１がスライドシャフトＳ１，Ｓ２上を往復移動する。また、略板状の第一駆動力振分部材６１の上側に向けて立設された略丸棒状の第二ピン８２の略円柱状基部に、第二ＯＰＵ２にねじ等による止具固定された第二連結板９２の略Ｕ字状凹部が掛止されることにより、第一駆動力振分部材６１の往復動に伴って、第二評価部Ｎ２に備えられたスライドシャフトＳ１，Ｓ２上の第二ＯＰＵ２がスライドシャフトＳ１，Ｓ２上を往復移動する。
【０１２１】
また、略円板状部を備えた回動部材３０が回動すると、回動力は、略棒状の第二連結部材５２によって連結された一対の球面ブッシュ４０を備えるロッド４２，４４により往復駆動力に変えられて、略板状の第二駆動力振分部材６２に往復駆動力として伝えられる。
【０１２２】
略板状の第二駆動力振分部材６２の下側に固定された略矩形箱状の第二直線スライド部材７２が、略矩形棒状の第二直線スライドレール案内部材７７によって案内されつつ往復移動させられることにより、第二駆動力振分部材６２は、スライドシャフトＳ１，Ｓ２の長手方向Ｄｒに略沿って精度よく往復移動させられる。
【０１２３】
略板状の第二駆動力振分部材６２の上側に向けて立設された略丸棒状の第三ピン８３の略円柱状基部に、第三ＯＰＵ３にねじ等による止具固定された第三連結板９３の略Ｕ字状凹部が掛止されることにより、第二駆動力振分部材６２の往復動に伴って、第三評価部Ｎ３に備えられたスライドシャフトＳ１，Ｓ２上の第三ＯＰＵ３がスライドシャフトＳ１，Ｓ２上を往復移動する。また、略板状の第二駆動力振分部材６２の上側に向けて立設された略丸棒状の第四ピン８４の略円柱状基部に、第四ＯＰＵ４にねじ等による止具固定された第四連結板９４の略Ｕ字状凹部が掛止されることにより、第二駆動力振分部材６２の往復動に伴って、第四評価部Ｎ４に備えられたスライドシャフトＳ１，Ｓ２上の第四ＯＰＵ４がスライドシャフトＳ１，Ｓ２上を往復移動する。
【０１２４】
このＯＰＵ１，２，３，４の耐久試験装置３００は、ＯＰＵ１，２，３，４の往復移動回数を検出可能な接触式のスイッチ１６０をさらに備えて構成される。
【０１２５】
これにより、各ＯＰＵ１，２，３，４の往復移動回数が容易で確実に分かる。ＯＰＵ１，２，３，４の耐久試験装置３００に、ＯＰＵ１，２，３，４の往復移動回数を検出可能な接触式のスイッチ１６０が装備されているので、ＯＰＵ１，２，３，４の耐久試験装置３００に備えられたＯＰＵ１，２，３，４の往復移動回数は、接触式のスイッチ１６０により容易で確実に認識される。例えば、各ＯＰＵ１，２，３，４の往復移動回数が所定の往復移動回数に達することが、接触式のスイッチ１６０により容易で確実に判断可能となる。
【０１２６】
平面視略矩形平板状のベース板１００上に接触式のスイッチ１６０が固定されている。第二駆動力振分部材６２の下側に固定された第二直線スライド部材７２が往復移動させられるときに、第二直線スライド部材７２が接触式スイッチ１６０に接することにより、往復移動回数がカウントされる。
【０１２７】
また、このＯＰＵ１，２，３，４の耐久試験装置３００は、平面視略長方形をした略平板状べース板１００上の各種部品等を保護する合成樹脂製の保護部材２００をさらに備えて構成される。ＯＰＵ１，２，３，４の耐久試験が行われるときに、駆動状態の各駆動力変換部材３０，４１，４２，４３，４４，４５，５１，５２や、各往復駆動力伝達部材６１，６２，７１，７２，８１，８２，８３，８４，９１，９２，９３，９４や、各ＯＰＵ１，２，３，４に不用意に人の手などが接して怪我をするということを防止させると共に、各ＯＰＵ１，２，３，４等に塵や埃などの異物が付着することを防止させる視認性に優れた略透明合成樹脂製の保護部材２００が、ＯＰＵ１，２，３，４の耐久試験装置３００を構成する平面視略長方形の金属製略平板状べース板１００上に置かれる。略透明な合成樹脂製の保護部材２００は、平面視略長方形の略平板状べース板１００の大きさに対応した例えば略透明アクリル樹脂製の大きい略矩形箱状のカバー２００として形成されている。
【実施例２】
【０１２８】
図４は、本発明に係るピックアップ装置の試験機の第二実施形態を示す平面図である。
【０１２９】
図４について詳しく説明すると、図４は、ピックアップ装置１Ｘ，２Ｘ，３Ｘ，４Ｘの試験機３００Ｘが略真上側から眺められた状態を示す説明図である。便宜上、図１〜図４を併用して、ピックアップ装置１Ｘ，２Ｘ，３Ｘ，４Ｘの試験機３００Ｘを説明する。
【０１３０】
平面視略長方形の略平板状べース板１００Ｘの上側において、実施例１（図１）におけるＯＰＵ１，２，３，４の耐久試験装置３００の構成部品に対し、実施例２（図２）におけるＯＰＵ１Ｘ，２Ｘ，３Ｘ，４Ｘの耐久試験装置３００Ｘの構成部品は、一部異なる。平面視略長方形の略平板状べース板１００Ｘの下側において、実施例１におけるＯＰＵ１，２，３，４の耐久試験装置３００の構成部品と、実施例２におけるＯＰＵ１Ｘ，２Ｘ，３Ｘ，４Ｘの耐久試験装置３００Ｘの構成部品とは、略同じとされている。実施例２において、実施例１にて説明したものと同一のものについては、同一の符号を付し、その詳細な説明を省略した。
【０１３１】
ＯＰＵ１Ｘ，２Ｘ，３Ｘ，４Ｘの試験機３００Ｘが上側から平面視されたときに、電源部１０が装備されている側をＯＰＵ１Ｘ，２Ｘ，３Ｘ，４Ｘの試験機３００Ｘの前側と定め、その反対側をＯＰＵ１Ｘ，２Ｘ，３Ｘ，４Ｘの試験機３００Ｘの後側と定める。また、ＯＰＵ１Ｘ，２Ｘ，３Ｘ，４Ｘの試験機３００Ｘが上側から平面視されたときに、検知部材１６０が装備されている側をＯＰＵ１Ｘ，２Ｘ，３Ｘ，４Ｘの試験機３００Ｘの右側と定め、その反対側をＯＰＵ１Ｘ，２Ｘ，３Ｘ，４Ｘの試験機３００Ｘの左側と定める。
【０１３２】
また、ベース板１００Ｘから脚部１９０Ｘが延設される側をＯＰＵ１Ｘ，２Ｘ，３Ｘ，４Ｘの試験機３００Ｘの下側と定め、ベース板１００Ｘに保護部材２００Ｘが装備される側をＯＰＵ１Ｘ，２Ｘ，３Ｘ，４Ｘの試験機３００Ｘの上側と定める。
【０１３３】
ＯＰＵ１Ｘ，２Ｘ，３Ｘ，４Ｘの試験機３００Ｘを操作等する者は、通常、ＯＰＵ１Ｘ，２Ｘ，３Ｘ，４Ｘの試験機３００Ｘの前側から正面視方向Ｄｅに沿って眺めながらＯＰＵ１Ｘ，２Ｘ，３Ｘ，４Ｘの試験機３００Ｘの操作等を行う。
【０１３４】
なお、この明細書における「前」、「後」、「左」、「右」、「上」、「下」、「正面」の定義は、ＯＰＵ１Ｘ，２Ｘ，３Ｘ，４Ｘの試験機３００Ｘを説明するための便宜上の定義とされている。
【０１３５】
また、主に耐久試験装置３００Ｘを構成する第一評価部Ｎ１Ｘおよび第一評価部Ｎ１Ｘに装備された第一のＯＰＵ１Ｘに基づいて、ＯＰＵ１Ｘ，２Ｘ，３Ｘ，４Ｘの試験機３００Ｘを詳しく説明する。ＯＰＵ１Ｘと、他のＯＰＵ２Ｘ，３Ｘ，４Ｘとは、同じ構成とされており、他のＯＰＵ２Ｘ，３Ｘ，４Ｘにおける符号に基づいた詳細説明は省略した。ＯＰＵ１Ｘ，２Ｘ，３Ｘ，４Ｘの耐久試験装置３００Ｘに装備される第一ＯＰＵ１Ｘと、第二ＯＰＵ２Ｘと、第三ＯＰＵ３Ｘと、第四ＯＰＵ４Ｘとは、例えば同一構成要素部品が用いられて組み立てられる。また、各ＯＰＵ１Ｘ，２Ｘ，３Ｘ，４Ｘは、例えば、デスクトップ型パーソナルコンピュータ用の通常サイズの光ディスク装置（図示せず）に用いられる通常サイズのＯＰＵ１Ｘ，２Ｘ，３Ｘ，４Ｘとして構成されている。
【０１３６】
不図示の光ディスク装置に内装されるＯＰＵ１Ｘ，２Ｘ，３Ｘ，４Ｘが用いられて、不図示の光ディスクにおける情報などのデータの再生または記録が行われる。
【０１３７】
ＯＰＵ１Ｘ，２Ｘ，３Ｘ，４Ｘは、前記各種光ディスクに記録されたデータを再生させたり、前記書込み可能もしくは書換え可能な各種光ディスクにデータを記録させたりするものとされている。ＯＰＵ１Ｘ，２Ｘ，３Ｘ，４Ｘは、例えば、ＣＤ系のメディアと、Ｄ
ＶＤ系のメディアと、Blu-ray Disc系のメディアとに対応したものとされている。ＯＰＵ１Ｘ，２Ｘ，３Ｘ，４Ｘは、複数のメディアに対応したものとされている。
【０１３８】
ＯＰＵ１Ｘ，２Ｘ，３Ｘ，４Ｘを構成する光学系部品などの不図示の各種部品は、ハウジング５Ｘに装備される。ハウジング５Ｘは、光学素子などの各種部品が装備されるハウジング本体５ｂと、ハウジング本体５ｂから突設され第一支持部材Ｓ１と移動可能に合わせられる一対の主軸用の軸受部６ｄ，６ｅと、主軸用の軸受部６ｄ，６ｅに対し反対側に向けてハウジング本体５ｂから突設され第二支持部材Ｓ２と移動可能に合わせられる副軸用の軸受部６ｆとを備えて形成されている。主軸用の軸受部６ｄ，６ｅと、副軸用の軸受部６ｆとは、ハウジング本体５ｂと一体成形されている。主軸用の軸受部６ｄ，６ｅと、副軸用の軸受部６ｆと、ハウジング本体５ｂとは、同一材料が用いられて一つのものとして形成されている。
【０１３９】
ハウジング５Ｘを形成する材料として、例えば、射出成形が可能であって耐熱性を有する熱可塑性の合成樹脂材料が用いられる。合成樹脂材料が用いられハウジング５Ｘが形成されることにより、ハウジング５Ｘの軽量化が図られる。従って、ハウジング５Ｘを備えるＯＰＵ１Ｘ，２Ｘ，３Ｘ，４Ｘの軽量化が図られる。また、合成樹脂材料が用いられ射出成形法に基づいてハウジング５Ｘが形成されることにより、複雑な形状のハウジング５Ｘとされていても、効率よく大量にハウジング５Ｘが生産される。
【０１４０】
射出成形が可能であって耐熱性を有する熱可塑性の合成樹脂材料として、例えば熱安定性性や、絶縁特性などの電気的特性や、機械的特性や、寸法安定性などに優れるＰＰＳ等のポリアリーレンサルファイド系樹脂などが挙げられる。ＰＰＳを基材としたものとして、上記各種ＰＰＳ等が挙げられる。
【０１４１】
また、ＯＰＵ１Ｘ，２Ｘ，３Ｘ，４Ｘの設計／仕様などにより、合成樹脂製のハウジング５Ｘに代えて、例えば非鉄金属製のハウジング５Ｘも用いられる。その場合、ＯＰＵ１Ｘ，２Ｘ，３Ｘ，４Ｘを構成するハウジング５Ｘは、例えば、上記各種非鉄金属や、上記各種合金が用いられて形成される。例えばアルミニウムを主成分とするアルミニウム合金が用いられてハウジング５Ｘが形成される。
【０１４２】
また、ＯＰＵ１Ｘ，２Ｘ，３Ｘ，４Ｘを構成するＯＢＬ７Ｘは、不図示の発光素子から出射されたレーザ光を絞り込んで不図示の光ディスクの信号面部へ集光させる役割を果す。ＯＢＬ７Ｘは、例えば透明な合成樹脂材料、透明なガラス材料等が用いられて形成される。ＯＢＬ７Ｘは、不図示のレンズホルダに装着される。また、ＯＢＬ７Ｘを備えるレンズホルダは、複数の不図示のサスペンションワイヤによって、移動可能に支持される。また、各サスペンションワイヤは、不図示の制御基板に取り付けられる。
【０１４３】
また、ＯＰＵ１Ｘ，２Ｘ，３Ｘ，４Ｘを構成する各種電気／電子部品（図示せず）は、フレキシブル基板（８）に通電可能に接続される。ＯＰＵ１，２Ｘ，３Ｘ，４Ｘの設計／仕様などにより、フレキシブル基板（８）として、例えばＦＦＣなどが用いられる。また、ＯＰＵ１Ｘ，２Ｘ，３Ｘ，４Ｘを構成する不図示の各種電気／電子部品は、ＦＰＣなどのフレキシブル基板（８）に通電可能に接続される。
【０１４４】
また、ＯＰＵ１Ｘ，２Ｘ，３Ｘ，４Ｘが移動可能に装備されるスライドシャフトＳ１，Ｓ２の形成材料として、上記各種ステンレス鋼などが挙げられる。
【０１４５】
平面視略矩形板状をしたベース板１００Ｘ上の第一評価部Ｎ１Ｘに第一ＯＰＵ１Ｘが装備される。また、平面視略矩形板状をしたベース板１００Ｘ上の第二評価部Ｎ２Ｘに第二ＯＰＵ２Ｘが装備される。また、平面視略矩形板状をしたベース板１００Ｘ上の第三評価
部Ｎ３Ｘに第三ＯＰＵ３Ｘが装備される。また、平面視略矩形板状をしたベース板１００Ｘ上の第四評価部Ｎ４Ｘに第四ＯＰＵ４Ｘが装備される。このＯＰＵ１Ｘ，２Ｘ，３Ｘ，４Ｘの耐久試験装置３００Ｘは、複数（四つ）の評価部Ｎ１Ｘ，Ｎ２Ｘ，Ｎ３Ｘ，Ｎ４Ｘを備えて構成される。平面視略矩形板状をしたベース板１００Ｘ上の第一評価部Ｎ１Ｘと、第二評価部Ｎ２Ｘと、第三評価部Ｎ３Ｘと、第四評価部Ｎ４Ｘとは、例えば同一構成要素部材が用いられて構成される。
【０１４６】
平面視略矩形板状をしたベース板１００Ｘ上の各評価部Ｎ１Ｘ，Ｎ２Ｘ，Ｎ３Ｘ，Ｎ４Ｘに、一対の略直方体状の固定基材１１０Ｘ，１１０Ｘが備えられる。一対の固定基材１１０Ｘ，１１０Ｘに、一対の略丸棒状をした長尺状スライドシャフトＳ１，Ｓ２が架設される。また、一対の略丸棒状をした長尺状スライドシャフトＳ１，Ｓ２に、各ＯＰＵ１Ｘ，２Ｘ，３Ｘ，４Ｘが移動可能に装備される。
【０１４７】
ＯＰＵ１Ｘ，２Ｘ，３Ｘ，４ＸのＯＢＬ７Ｘから出射されるレーザ光の光軸方向Ｄｆに対し略直交する方向Ｄｔであって、且つ、ＯＰＵ１Ｘ，２Ｘ，３Ｘ，４Ｘを移動可能に支持可能な一対の略丸棒状をした長尺状スライドシャフトＳ１，Ｓ２の長手方向Ｄｒに対し略直交する方向Ｄｔに沿ってスライドシャフトＳ１，Ｓ２の位置がずらされることを防ぐ複数の位置決め部材ＰＮが、略直方体状の各固定基材１１０Ｘに取り付けられている。位置決め部材ＰＮは、略直方体状の固定基材１１０Ｘの上側に向けて立設された略丸棒状の位置決め用ピンＰＮとして形成されている。
【０１４８】
固定基材１１０Ｘ上において、位置決め用ピンＰＮにスライドシャフトＳ１，Ｓ２を押し当て、固定基材１１０Ｘの上側に螺刻された小径のねじ穴（図示せず）に小さい十字穴付さら小ねじＳｎを螺合させることにより、固定基材１１０Ｘ上にスライドシャフトＳ１，Ｓ２が容易に固定される。詳しく説明すると、略一列上に並設された複数の略円柱状の位置決め用ピンＰＮに略円柱状のスライドシャフトＳ１，Ｓ２が押し当てられ、複数の固定基材１１０Ｘの上側において略一列上に螺設された複数の小径のねじ穴に小さい十字穴付さら小ねじＳｎが螺合されることにより、固定基材１１０Ｘ上にスライドシャフトＳ１，Ｓ２が容易に固定される。各スライドシャフトＳ１，Ｓ２は、十字穴付さら小ねじＳｎの略逆円錐状頭部ならびに略円柱状本体部により、固定基材１１０Ｘ上に固定される。
【０１４９】
このＯＰＵ１Ｘ，２Ｘ，３Ｘ，４Ｘの耐久試験装置３００Ｘは、例えば、各種部品等が装備される平面視略長方形をした一つのベース部材１００Ｘと、ベース部材１００Ｘを支持する複数の略棒状脚部１９０Ｘと、ベース部材１００Ｘ上に設けられＯＰＵ１Ｘ，２Ｘ，３Ｘ，４Ｘを移動可能に支持可能な複数の略丸棒状をした長尺状スライドシャフトＳ１，Ｓ２を支持／固定させる複数の略直方体状の固定基材１１０Ｘと、略直方体状の固定基材１１０Ｘに略丸棒状をした長尺状スライドシャフトＳ１，Ｓ２を位置決め固定させる複数の略丸棒状をした位置決め部材ＰＮと、略直方体状の固定基材１１０Ｘに略丸棒状をした長尺状スライドシャフトＳ１，Ｓ２を位置決めさせつつ固定させる複数のねじＳｎ等の止具Ｓｎとを備えて構成される。
【０１５０】
また、図４の如く、このＯＰＵ１Ｘ，２Ｘ，３Ｘ，４Ｘの耐久試験装置３００Ｘは、各ＯＰＵ１Ｘ，２Ｘ，３Ｘ，４Ｘの耐久試験を実行可能なＯＰＵ１Ｘ，２Ｘ，３Ｘ，４Ｘの耐久試験装置３００Ｘとされている。このＯＰＵ１Ｘ，２Ｘ，３Ｘ，４Ｘの耐久試験装置３００Ｘは、一つの耐久試験装置３００Ｘで例えば四個までの複数のＯＰＵ１Ｘ，２Ｘ，３Ｘ，４Ｘの耐久試験が同時に実行可能な耐久試験装置３００Ｘとされている。
【０１５１】
図４に示すＯＰＵ１Ｘ，２Ｘ，３Ｘ，４Ｘの耐久試験装置３００Ｘが構成されていれば、各ＯＰＵ１Ｘ，２Ｘ，３Ｘ，４Ｘの耐久試験が効率よく行われる。例えば四個までの複数のＯＰＵ１Ｘ，２Ｘ，３Ｘ，４Ｘの耐久試験が同時に実行可能なＯＰＵ１Ｘ，２Ｘ，３
Ｘ，４Ｘの耐久試験装置３００Ｘが用いられ、一つの耐久試験装置３００Ｘで各ＯＰＵ１Ｘ，２Ｘ，３Ｘ，４Ｘの耐久試験が行われることにより、効率よく各ＯＰＵ１Ｘ，２Ｘ，３Ｘ，４Ｘの耐久試験が行われる。また、複数のＯＰＵ１Ｘ，２Ｘ，３Ｘ，４Ｘの耐久試験が同時に実行可能なＯＰＵ１Ｘ，２Ｘ，３Ｘ，４Ｘの耐久試験装置３００Ｘが用いられて各ＯＰＵ１Ｘ，２Ｘ，３Ｘ，４Ｘの耐久試験が行われることにより、一個のＯＰＵ１Ｘだけでなく、複数のＯＰＵ１Ｘ，２Ｘ，３Ｘ，４Ｘの「ばらつき」を含めた各ＯＰＵ１Ｘ，２Ｘ，３Ｘ，４Ｘの耐久性の評価を効率よく行うことが可能となる。
【０１５２】
評価すべきＯＰＵ１Ｘ，２Ｘ，３Ｘ，４Ｘの数や、耐久試験装置３００Ｘの使用状況／治工具などの都合等により、例えば一個のＯＰＵ１Ｘのみの耐久試験がＯＰＵ１Ｘ，２Ｘ，３Ｘ，４Ｘの耐久試験装置３００Ｘによって行われてもよい。
【０１５３】
このＯＰＵ１Ｘ，２Ｘ，３Ｘ，４Ｘの耐久試験装置３００Ｘは、ＯＰＵ１Ｘ，２Ｘ，３Ｘ，４Ｘを構成する摺動部６ｄ，６ｅ，６ｆの繰返し摺動耐久試験、ならびに、ＯＰＵ１Ｘ，２Ｘ，３Ｘ，４Ｘを支持可能な長尺状のスライドシャフトＳ１，Ｓ２を構成する摺動部Ｓ１ｒ，Ｓ２ｒの繰返し摺動耐久試験が、同時に実行可能なＯＰＵ１Ｘ，２Ｘ，３Ｘ，４Ｘの耐久試験装置３００Ｘとして構成されている。
【０１５４】
図４に示すＯＰＵ１Ｘ，２Ｘ，３Ｘ，４Ｘの耐久試験装置３００Ｘが構成されていれば、ＯＰＵ１Ｘ，２Ｘ，３Ｘ，４Ｘを構成する摺動部６ｄ，６ｅ，６ｆの繰返し摺動耐久試験、ならびに、ＯＰＵ１Ｘ，２Ｘ，３Ｘ，４Ｘを支持可能な長尺状のスライドシャフトＳ１，Ｓ２を構成する摺動部Ｓ１ｒ，Ｓ２ｒの繰返し摺動耐久試験が、一台のＯＰＵ１Ｘ，２Ｘ，３Ｘ，４Ｘの耐久試験装置３００Ｘにて効率よく行われる。一台のＯＰＵ１Ｘ，２Ｘ，３Ｘ，４Ｘの耐久試験装置３００Ｘが用いられて、ＯＰＵ１Ｘ，２Ｘ，３Ｘ，４Ｘを構成する摺動部６ｄ，６ｅ，６ｆの繰返し摺動耐久試験、ならびに、ＯＰＵ１Ｘ，２Ｘ，３Ｘ，４Ｘを支持可能な長尺状のスライドシャフトＳ１，Ｓ２を構成する摺動部Ｓ１ｒ，Ｓ２ｒの繰返し摺動耐久試験が同時に行われることにより、繰り返して摺動されたＯＰＵ１Ｘ，２Ｘ，３Ｘ，４Ｘの摺動部６ｄ，６ｅ，６ｆの解析、ならびに、ＯＰＵ１Ｘ，２Ｘ，３Ｘ，４Ｘを支持可能な長尺状のスライドシャフトＳ１，Ｓ２の摺動部Ｓ１ｒ，Ｓ２ｒの解析をまとめて効率よく行うことが可能となる。
【０１５５】
このＯＰＵ１Ｘ，２Ｘ，３Ｘ，４Ｘの耐久試験装置３００Ｘは、ＯＰＵ１Ｘ，２Ｘ，３Ｘ，４Ｘを構成し複数の滑り軸受部６ｄ，６ｅ，６ｆを備えるハウジング５Ｘを支持可能な複数本の略丸棒状をした長尺状スライドシャフトＳ１，Ｓ２を装備可能な耐久試験装置３００Ｘとして構成されている。複数本の略丸棒状をした長尺状スライドシャフトＳ１，Ｓ２上にて、複数本の略丸棒状スライドシャフトＳ１，Ｓ２の長手方向Ｄｒに沿って、ＯＰＵ１Ｘ，２Ｘ，３Ｘ，４Ｘを構成し複数の滑り軸受部６ｄ，６ｅ，６ｆを備えるハウジング５Ｘの往復移動が可能とされている。
【０１５６】
往復動耐久試験が行われるときに、ＯＰＵ１Ｘ，２Ｘ，３Ｘ，４Ｘの耐久試験装置３００Ｘが用いられることにより、各ＯＰＵ１Ｘ，２Ｘ，３Ｘ，４Ｘの往復動耐久試験が確実に行われる。複数本の略丸棒状をした長尺状スライドシャフトＳ１，Ｓ２に支持されたＯＰＵ１Ｘ，２Ｘ，３Ｘ，４Ｘを構成し複数の滑り軸受部６ｄ，６ｅ，６ｆを備えるハウジング５Ｘが、複数本の略丸棒状をした長尺状スライドシャフトＳ１，Ｓ２上にて、複数本の略丸棒状スライドシャフトＳ１，Ｓ２の長手方向Ｄｒに沿って往復移動させられることにより、各ＯＰＵ１Ｘ，２Ｘ，３Ｘ，４Ｘを構成し複数の滑り軸受部６ｄ，６ｅ，６ｆを備えるハウジング５Ｘの各滑り軸受部６ｄ，６ｅ，６ｆの往復動耐久試験が確実に行われる。
【０１５７】
また、各ＯＰＵ１Ｘ，２Ｘ，３Ｘ，４Ｘの往復動耐久試験が行われることにより、各Ｏ
ＰＵ１Ｘ，２Ｘ，３Ｘ，４Ｘの摺動部６ｄ，６ｅ，６ｆや、各スライドシャフトＳ１，Ｓ２の摺動部Ｓ１ｒ，Ｓ２ｒなどの詳細な解析を効率よく行うことが可能となる。具体的に説明すると、各ＯＰＵ１Ｘ，２Ｘ，３Ｘ，４Ｘの往復動耐久試験が行われることにより、ＯＰＵ１Ｘ，２Ｘ，３Ｘ，４Ｘを構成するハウジング５Ｘの各滑り軸受部６ｄ，６ｅ，６ｆの損耗状態や、ＯＰＵ１Ｘ，２Ｘ，３Ｘ，４Ｘのハウジング５Ｘを支持可能な略丸棒状をした長尺状各スライドシャフトＳ１，Ｓ２の摺動部Ｓ１ｒ，Ｓ２ｒにおける損耗状態等の詳細な解析を効率よく行うことが可能となる。
【０１５８】
ＯＰＵ１Ｘ，２Ｘ，３Ｘ，４Ｘの往復動耐久試験が行われるときに、例えば略丸棒状をした長尺状スライドシャフトＳ１，Ｓ２上にグリース等の半固形状潤滑剤が塗布されてＯＰＵ１Ｘ，２Ｘ，３Ｘ，４Ｘの往復動耐久試験が行われることもある。
【０１５９】
また、ＯＰＵ１Ｘ，２Ｘ，３Ｘ，４Ｘの設計／仕様などにより、例えばハウジング５Ｘの本体５ｂに一体成形された滑り軸受部６ｄ，６ｅ，６ｆに代えて、ハウジング５Ｘと別体の略円筒状をした不図示の銅製滑り軸受部材が軸受部（６ｄ，６ｅ，６ｆ）に装備されてもよい。
【０１６０】
例えばこのＯＰＵ（１Ｘ，２Ｘ，３Ｘ，４Ｘ）の耐久試験装置３００Ｘは、ＯＰＵ（１Ｘ，２Ｘ，３Ｘ，４Ｘ）を構成するハウジング（５Ｘ）に嵌合装着された複数の略円筒状滑り軸受（６ｄ，６ｅ，６ｆ）を介して、嵌合滑り軸受（６ｄ，６ｅ，６ｆ）付ハウジング（５Ｘ）を支持可能な複数本の略丸棒状をした長尺状スライドシャフトＳ１，Ｓ２が装備可能なものとされている。複数本の略丸棒状をした長尺状スライドシャフトＳ１，Ｓ２上にて、複数本の略丸棒状スライドシャフトＳ１，Ｓ２の長手方向Ｄｒに沿って、ＯＰＵ（１Ｘ，２Ｘ，３Ｘ，４Ｘ）を構成するハウジング（５Ｘ）に嵌合装着された複数の略円筒状滑り軸受（６ｄ，６ｅ，６ｆ）を介して、嵌合滑り軸受（６ｄ，６ｅ，６ｆ）付ハウジング（５Ｘ）の往復移動が可能とされている。
【０１６１】
往復動耐久試験が行われるときに、ＯＰＵ（１Ｘ，２Ｘ，３Ｘ，４Ｘ）の耐久試験装置３００Ｘが用いられることにより、各ＯＰＵ（１Ｘ，２Ｘ，３Ｘ，４Ｘ）の往復動耐久試験が確実に行われる。ＯＰＵ（１Ｘ，２Ｘ，３Ｘ，４Ｘ）を構成するハウジング（５Ｘ）に嵌合装着された複数の略円筒状滑り軸受（６ｄ，６ｅ，６ｆ）を介して、嵌合滑り軸受（６ｄ，６ｅ，６ｆ）付ハウジング（５Ｘ）が複数本の略丸棒状をした長尺状スライドシャフトＳ１，Ｓ２上にて、複数本の略丸棒状スライドシャフトＳ１，Ｓ２の長手方向Ｄｒに沿って往復移動させられることにより、ＯＰＵ（１Ｘ，２Ｘ，３Ｘ，４Ｘ）を構成するハウジング（５Ｘ）に嵌合装着された複数の略円筒状滑り軸受（６ｄ，６ｅ，６ｆ）の往復動耐久試験が確実に行われる。
【０１６２】
また、各ＯＰＵ（１Ｘ，２Ｘ，３Ｘ，４Ｘ）の往復動耐久試験が行われることにより、各ＯＰＵ（１Ｘ，２Ｘ，３Ｘ，４Ｘ）の摺動部（６ｄ，６ｅ，６ｆ）や、各スライドシャフトＳ１，Ｓ２の摺動部Ｓ１ｒ，Ｓ２ｒなどの詳細な解析を効率よく行うことが可能となる。具体的に説明すると、各ＯＰＵ（１Ｘ，２Ｘ，３Ｘ，４Ｘ）の往復動耐久試験が行われることにより、ＯＰＵ（１Ｘ，２Ｘ，３Ｘ，４Ｘ）を構成するハウジング（５Ｘ）に嵌合装着された各略円筒状滑り軸受（６ｄ，６ｅ，６ｆ）の損耗状態や、ＯＰＵ（１Ｘ，２Ｘ，３Ｘ，４Ｘ）のハウジング（５Ｘ）を支持可能な略丸棒状をした長尺状各スライドシャフトＳ１，Ｓ２の摺動部Ｓ１ｒ，Ｓ２ｒにおける損耗状態等の詳細な解析を効率よく行うことが可能となる。
【０１６３】
このＯＰＵ１Ｘ，２Ｘ，３Ｘ，４Ｘの耐久試験装置３００Ｘは、ＯＰＵ１Ｘ，２Ｘ，３Ｘ，４ＸのＯＢＬ７Ｘから出射されるレーザ光の光軸方向Ｄｆに対し略直交する方向Ｄｔに略沿って、ＯＰＵ１Ｘ，２Ｘ，３Ｘ，４Ｘに側圧をかけることが可能とされると共に、
ＯＰＵ１Ｘ，２Ｘ，３Ｘ，４Ｘを支持可能な複数本の略丸棒状をした長尺状スライドシャフトＳ１，Ｓ２の長手方向Ｄｒに対し略直交する方向Ｄｔに略沿って、ＯＰＵ１Ｘ，２Ｘ，３Ｘ，４Ｘに側圧をかけることが可能な耐久試験装置３００Ｘとされている。
【０１６４】
具体的に説明すると、このＯＰＵ１Ｘ，２Ｘ，３Ｘ，４Ｘの耐久試験装置３００Ｘは、ＯＰＵ１Ｘ，２Ｘ，３Ｘ，４ＸのＯＢＬ７Ｘから出射されるレーザ光の光軸方向Ｄｆに対し略直交する方向Ｄｔであって、且つ、ＯＰＵ１Ｘ，２Ｘ，３Ｘ，４Ｘを支持可能な複数本の略丸棒状をした長尺状スライドシャフトＳ１，Ｓ２の長手方向Ｄｒに対し略直交する方向Ｄｔに略沿って、ＯＰＵ１Ｘ，２Ｘ，３Ｘ，４Ｘに側圧をかけることが可能な耐久試験装置３００Ｘとされている。
【０１６５】
各ＯＰＵ１Ｘ，２Ｘ，３Ｘ，４Ｘの耐久試験が行われるときに、このＯＰＵ１Ｘ，２Ｘ，３Ｘ，４Ｘの耐久試験装置３００Ｘが用いられることにより、各ＯＰＵ１Ｘ，２Ｘ，３Ｘ，４Ｘに側圧がかけられた状態で各ＯＰＵ１Ｘ，２Ｘ，３Ｘ，４Ｘの耐久試験が行われる。各ＯＰＵ１Ｘ，２Ｘ，３Ｘ，４Ｘに側圧がかけられて各ＯＰＵ１Ｘ，２Ｘ，３Ｘ，４Ｘの耐久試験が行われることにより、実際にＯＰＵ１Ｘ，２Ｘ，３Ｘ，４Ｘが不図示の光ディスク装置に装備されて使用される条件下により近い条件下で、各ＯＰＵ１Ｘ，２Ｘ，３Ｘ，４Ｘの耐久性の評価が行われる。
【０１６６】
各ＯＰＵ１Ｘ，２Ｘ，３Ｘ，４Ｘへの側圧のかけ方について、より具体的に説明すると、背の高い長尺状をした略丸棒状のピン８１Ｘ，８２Ｘ／８３Ｘ，８４Ｘが、ＯＰＵ１Ｘ，２Ｘ，３Ｘ，４Ｘの耐久試験装置３００Ｘの略平板状をした各駆動力振分部材６１Ｘ／６２Ｘに装備されている。略平板状をした各駆動力振分部材６１Ｘ／６２Ｘの雌ねじ部（図示せず）に背の高い長尺状をした略丸棒状のピン８１Ｘ，８２Ｘ／８３Ｘ，８４Ｘの雄ねじ部（図示せず）が螺合されて、各駆動力振分部材６１Ｘ／６２Ｘの上下に背の高い長尺状をした略丸棒状のピン８１Ｘ，８２Ｘ／８３Ｘ，８４Ｘが立設される。
【０１６７】
また、背の高い長尺状をした略丸棒状のピン８１，８２／８３，８４が、ＯＰＵ１Ｘ，２Ｘ，３Ｘ，４Ｘの耐久試験装置３００Ｘの略平板状をした各連結板９１Ｘ，９２Ｘ／９３Ｘ，９４Ｘに装備されている。各連結板９１Ｘ，９２Ｘ，９３Ｘ，９４Ｘの雌ねじ部（図示せず）に背の高い長尺状をした略丸棒状のピン８１，８２，８３，８４の雄ねじ部（図示せず）が螺合されて、各連結板９１Ｘ，９２Ｘ，９３Ｘ，９４Ｘの上側に背の高い長尺状をした略丸棒状のピン８１，８２，８３，８４が立設される。
【０１６８】
また、ＯＰＵ１Ｘ，２Ｘ，３Ｘ，４ＸのＯＢＬ７Ｘから出射されるレーザ光の光軸方向Ｄｆに対し略直交する方向Ｄｔであって、且つ、ＯＰＵ１Ｘ，２Ｘ，３Ｘ，４Ｘを支持可能な複数本の略丸棒状をした長尺状スライドシャフトＳ１，Ｓ２の長手方向Ｄｒに対し略直交する方向Ｄｔに略沿って、複数（各二個）のＯＰＵ１Ｘ，２Ｘ／３Ｘ，４Ｘが並設されている。また、各ＯＰＵ１Ｘ，２Ｘ，３Ｘ，４Ｘに側圧をかける引張コイルばね８５又は不図示の圧縮コイルばねが、背の高い長尺状をした各略丸棒状のピン８１，８１Ｘ，８２，８２Ｘ，８３，８３Ｘ，８４，８４Ｘに装備可能とされている。引張コイルばね８５は、便宜上、描かれた「ばね」８５とされている。
【０１６９】
例えば不図示の光ディスクに対するＯＰＵ１Ｘのタンジェンシャル方向Ｄｔに略沿って互いに隣り合う一対（二つ）の略丸棒状ピン８１，８１Ｘの「ばね取付部」８０例えば「ばね取付溝」８０に、引張コイルばね８５又は不図示の圧縮コイルばねが架け渡されるように取り付けられる。また、例えば不図示の光ディスクに対するＯＰＵ２Ｘのタンジェンシャル方向Ｄｔに略沿って互いに隣り合う一対（二つ）の略丸棒状ピン８２，８２Ｘの「ばね取付部」８０例えば「ばね取付溝」８０に、引張コイルばね８５又は不図示の圧縮コイルばねが架け渡されるように取り付けられる。
【０１７０】
また、例えば不図示の光ディスクに対するＯＰＵ３Ｘのタンジェンシャル方向Ｄｔに略沿って互いに隣り合う一対（二つ）の略丸棒状ピン８３，８３Ｘの「ばね取付部」８０例えば「ばね取付溝」８０に、引張コイルばね８５又は不図示の圧縮コイルばねが架け渡されるように取り付けられる。また、例えば不図示の光ディスクに対するＯＰＵ４Ｘのタンジェンシャル方向Ｄｔに略沿って互いに隣り合う一対（二つ）の略丸棒状ピン８４，８４Ｘの「ばね取付部」８０例えば「ばね取付溝」８０に、引張コイルばね８５又は不図示の圧縮コイルばねが架け渡されるように取り付けられる。
【０１７１】
これにより、各ＯＰＵ１Ｘ，２Ｘ，３Ｘ，４Ｘに例えば側圧がかけられた状態で各ＯＰＵ１Ｘ，２Ｘ，３Ｘ，４Ｘの耐久試験が行われることとなる。各駆動力振分部材６１Ｘ／６２Ｘならびに各連結板９１Ｘ，９２Ｘ／９３Ｘ，９４Ｘに立設された略丸棒状のピン８１，８１Ｘ，８２，８２Ｘ／８３，８３Ｘ，８４，８４Ｘの「ばね取付部」８０例えば「ばね取付溝」８０に引張コイルばね８５又は不図示の圧縮コイルばねが装備され、各引張コイルばね８５又は各圧縮コイルばねによって例えば各ＯＰＵ１Ｘ，２Ｘ／３Ｘ，４Ｘが引き寄せられようとされたり引き離されようとされたりすることにより、各ＯＰＵ１Ｘ，２Ｘ／３Ｘ，４Ｘに容易に側圧がかけられる。なお、例えば引張コイルばね８５又は圧縮コイルばね以外の他の弾性部材（図示せず）が用いられて、各ＯＰＵ１Ｘ，２Ｘ／３Ｘ，４Ｘが引き寄せられようとされたり引き離されようとされたりすることにより、ＯＰＵ１Ｘ，２Ｘ／３Ｘ，４Ｘに容易に側圧がかけられるようにされてもよい。各ＯＰＵ１Ｘ，２Ｘ，３Ｘ，４Ｘに側圧がかけられた状態で各ＯＰＵ１Ｘ，２Ｘ，３Ｘ，４Ｘの耐久試験が行われることにより、実際にＯＰＵ１Ｘ，２Ｘ，３Ｘ，４Ｘが不図示の光ディスク装置に装備されて使用される条件下により近い条件下で、各ＯＰＵ１Ｘ，２Ｘ，３Ｘ，４Ｘの耐久性の評価が行われることとなる。
【０１７２】
引張コイルばね８５又は圧縮コイルばねとして、例えば上記各種形態をした「ばね」が使用可能とされる。例えば、引張コイルばね８５のフック部の形状が、コイル両端部におけるコイルの一巻を起こしてフック部を形成させた丸フック状に形成されていると、背の高い長尺状をした略丸棒状のピン８１，８１Ｘ，８２，８２Ｘ／８３，８３Ｘ，８４，８４Ｘに穿設された略Ｕ字状ばね取付溝８０に引張コイルばね８５のフック部を確実に掛け止めさせやすくなり好ましい。このＯＰＵ１Ｘ，２Ｘ，３Ｘ，４Ｘの耐久試験装置３００Ｘは、「ＪＩＳ  Ｂ  ２７０４」に基づく引張コイルばね又は圧縮コイルばねが使用可能なＯＰＵ１Ｘ，２Ｘ，３Ｘ，４Ｘの耐久試験装置３００Ｘとされている。
【０１７３】
ＯＰＵ１Ｘ，２Ｘ，３Ｘ，４Ｘの下側に、ＯＰＵ１Ｘ，２Ｘ，３Ｘ，４Ｘを構成するＦＰＣ（８）を例えば正面視略曲線を描くように撓ませつつ屈曲させる下側板（１３０）が装備可能とされている。また、これと共に、ＯＰＵ１Ｘ，２Ｘ，３Ｘ，４Ｘの上側に、ＯＰＵ１Ｘ，２Ｘ，３Ｘ，４Ｘを構成するＦＰＣ（８）を例えば正面視略曲線を描くように撓ませつつ屈曲させる上側板（１４０）が装備可能とされている。ＯＰＵ１Ｘ，２Ｘ，３Ｘ，４Ｘが複数の略丸棒状をした長尺状スライドシャフトＳ１，Ｓ２に装備されると共に、各スライドシャフトＳ１，Ｓ２の長手方向Ｄｒに略沿ってＯＰＵ１Ｘ，２Ｘ，３Ｘ，４Ｘが往復移動させられることにより、下側板（１３０）と上側板（１４０）との隙間にて、ＦＰＣ（８）の繰返し折曲げ耐久試験が実行可能とされている。
【０１７４】
これにより、各ＯＰＵ１Ｘ，２Ｘ，３Ｘ，４Ｘを構成するＦＰＣ（８）の繰返し折曲げ耐久試験が、ＯＰＵ１Ｘ，２Ｘ，３Ｘ，４Ｘの耐久試験装置３００Ｘにて効率よく確実に行われる。ＦＰＣ（８）の繰返し折曲げ耐久試験が行われるときに、ＯＰＵ１Ｘ，２Ｘ，３Ｘ，４Ｘの下側に、ＯＰＵ１Ｘ，２Ｘ，３Ｘ，４Ｘを構成するＦＰＣ（８）を例えば正面視略曲線を描くように撓ませつつ屈曲させる下側板（１３０）が装備される。また、これと共に、ＦＰＣ（８）の繰返し折曲げ耐久試験が行われるときに、ＯＰＵ１Ｘ，２Ｘ，
３Ｘ，４Ｘの上側に、ＯＰＵ１Ｘ，２Ｘ，３Ｘ，４Ｘを構成するＦＰＣ（８）を例えば正面視略曲線を描くように撓ませつつ屈曲させる上側板（１４０）が装備される。また、ＯＰＵ１Ｘ，２Ｘ，３Ｘ，４Ｘが複数の略丸棒状をした長尺状スライドシャフトＳ１，Ｓ２に装備される。各スライドシャフトＳ１，Ｓ２の長手方向Ｄｒに略沿ってＯＰＵ１Ｘ，２Ｘ，３Ｘ，４Ｘが往復移動させられることにより、下側板（１３０）と上側板（１４０）との隙間にて、ＦＰＣ（８）の繰返し折曲げ耐久試験が行われる。ＯＰＵ１Ｘ，２Ｘ，３Ｘ，４Ｘの耐久試験装置３００Ｘが用いられて、各ＯＰＵ１Ｘ，２Ｘ，３Ｘ，４Ｘを構成するＦＰＣ（８）の屈曲耐久試験が行われることにより、繰り返して屈曲された各ＦＰＣ（８）の疲労および／または損耗状態等の詳細な解析を効率よく行うことが可能となる。
【０１７５】
各ＯＰＵ１Ｘ，２Ｘ，３Ｘ，４Ｘの上側に略平板状の上側板（１４０）が装備されるときに、ＯＰＵ１Ｘ，２Ｘ，３Ｘ，４Ｘに対する略平板状上側板（１４０）の取付高さを調整可能な略平板状の調整部材（１２０）が固定基材１１０Ｘ上に載置され、さらに略平板状調整部材（１２０）上に略平板状上側板（１４０）が載置される。ＯＰＵ１Ｘ，２Ｘ，３Ｘ，４Ｘに対する略平板状上側板（１４０）の取付高さを調整可能な略平板状の調整部材（１２０）が、固定基材１１０Ｘ上に装備可能とされている。固定基材１１０Ｘの上側に螺刻された大径のねじ穴Ｓｐに大きい十字穴付さら小ねじ（Ｓｍ）を螺合させることにより、略平板状調整部材（１２０）と略平板状上側板（１４０）とが合わせられた状態で固定基材１１０Ｘ上に固定される。略平板状調整部材（１２０）は、ＯＰＵ１Ｘ，２Ｘ，３Ｘ，４Ｘに対する略平板状上側板（１４０）の取付高さを調整可能なスペーサ（１２０）として形成されている。
【０１７６】
このＯＰＵ１Ｘ，２Ｘ，３Ｘ，４Ｘの耐久試験装置３００Ｘは、ＯＰＵ１Ｘ，２Ｘ，３Ｘ，４Ｘを構成するＦＰＣ（８）を例えば正面視略曲線を描くように撓ませつつ屈曲させる上側可撓促進部（１４０）および／または下側可撓促進部（１３０）を装備可能な耐久試験装置３００Ｘとされている。
【０１７７】
これにより、各ＯＰＵ１Ｘ，２Ｘ，３Ｘ，４Ｘを構成するＦＰＣ（８）の屈曲耐久試験は、実際にＯＰＵ１Ｘ，２Ｘ，３Ｘ，４Ｘが不図示の光ディスク装置に装備されて使用される条件下に近い条件下で行われる。ＦＰＣ（８）を例えば正面視略曲線を描くように撓ませつつ屈曲させる上側可撓促進部（１４０）および／または下側可撓促進部（１３０）に対し、ＦＰＣ（８）が繰り返して屈曲されることにより、繰り返して屈曲された各ＦＰＣ（８）に対する実際的な疲労および／または損耗状態等の解析を効率よく行うことが可能となる。
【０１７８】
このＯＰＵ１Ｘ，２Ｘ，３Ｘ，４Ｘの耐久試験装置３００Ｘは、ＯＰＵ１Ｘ，２Ｘ，３Ｘ，４Ｘを構成するＦＰＣ（８）を例えば正面視略曲線を描くように撓ませつつ屈曲させる上側板（１４０）および／または下側板（１３０）を装備可能な耐久試験装置３００Ｘとされている。上側板（１４０）の下側に、ＦＰＣ（８）が屈曲されつつ摺接される摺動特性に優れたシート部材（１５０）が装着可能とされている。詳しく説明すると、上側板（１４０）のＯＰＵ１Ｘ，２Ｘ，３Ｘ，４Ｘ側に、ＦＰＣ（８）が屈曲されつつ摺接されるフッ素樹脂材を備えたシート部材（１５０）が接着されて装着される。
【０１７９】
これにより、各ＯＰＵ１Ｘ，２Ｘ，３Ｘ，４Ｘを構成するＦＰＣ（８）の屈曲耐久試験は、実際にＯＰＵ１Ｘ，２Ｘ，３Ｘ，４Ｘが不図示の光ディスク装置に装備されて使用される条件下により近い条件下で行われる。ＦＰＣ（８）が屈曲されつつ摺接されるフッ素樹脂材を備えたシート部材（１５０）が、ＯＰＵ１Ｘ，２Ｘ，３Ｘ，４Ｘを構成するＦＰＣ（８）を例えば正面視略曲線を描くように撓ませつつ屈曲させる上側板（１４０）に接着されて装着されることにより、例えば繰り返して屈曲されたＦＰＣ（８）における損耗の発生が防止され易くなる。ＦＰＣ（８）を例えば正面視略曲線を描くように撓ませつつ
屈曲させる上側板（１４０）に接着されて装着されたフッ素樹脂材を備えるシート部材（１５０）に対し、ＦＰＣ（８）が繰り返して屈曲されつつ摺接されることにより、繰り返して屈曲された各ＦＰＣ（８）に対するより実際的な疲労および／または損耗状態等の解析を効率よく行うことが可能となる。
【０１８０】
摺動特性に優れたシート部材（１５０）を構成するフッ素樹脂材として、上記ＰＴＦＥ等が挙げられる。また、摺動特性に優れたシート部材（１５０）として、上記不織布などが挙げられる。
【０１８１】
このＯＰＵ１Ｘ，２Ｘ，３Ｘ，４Ｘの耐久試験装置３００Ｘは、ＯＰＵ１Ｘ，２Ｘ，３Ｘ，４Ｘを構成する摺動部６ｄ，６ｅ，６ｆの繰返し摺動耐久試験、および、ＯＰＵ１Ｘ，２Ｘ，３Ｘ，４Ｘを支持可能な長尺状のスライドシャフトＳ１，Ｓ２を構成する摺動部Ｓ１ｒ，Ｓ２ｒの繰返し摺動耐久試験、ならびに、ＯＰＵ１Ｘ，２Ｘ，３Ｘ，４Ｘを構成するＦＰＣ（８）の繰返し折曲げ耐久試験が同時に実行可能なＯＰＵ１Ｘ，２Ｘ，３Ｘ，４Ｘの耐久試験装置３００Ｘとして構成されている。
【０１８２】
図４に示すＯＰＵ１Ｘ，２Ｘ，３Ｘ，４Ｘの耐久試験装置３００Ｘが構成されていれば、ＯＰＵ１Ｘ，２Ｘ，３Ｘ，４Ｘを構成する摺動部６ｄ，６ｅ，６ｆの繰返し摺動耐久試験、および、ＯＰＵ１Ｘ，２Ｘ，３Ｘ，４Ｘを支持可能な長尺状のスライドシャフトＳ１，Ｓ２を構成する摺動部Ｓ１ｒ，Ｓ２ｒの繰返し摺動耐久試験、ならびに、ＯＰＵ１Ｘ，２Ｘ，３Ｘ，４Ｘを構成するＦＰＣ（８）の繰返し折曲げ耐久試験が、一台のＯＰＵ１Ｘ，２Ｘ，３Ｘ，４Ｘの耐久試験装置３００Ｘにて同時に実行可能となる。一台のＯＰＵ１Ｘ，２Ｘ，３Ｘ，４Ｘの耐久試験装置３００Ｘが用いられて、ＯＰＵ１Ｘ，２Ｘ，３Ｘ，４Ｘを構成する摺動部６ｄ，６ｅ，６ｆの繰返し摺動耐久試験、および、ＯＰＵ１Ｘ，２Ｘ，３Ｘ，４Ｘを支持可能な長尺状のスライドシャフトＳ１，Ｓ２を構成する摺動部Ｓ１ｒ，Ｓ２ｒの繰返し摺動耐久試験、ならびに、ＯＰＵ１Ｘ，２Ｘ，３Ｘ，４Ｘを構成するＦＰＣ（８）の屈曲耐久試験が行われることにより、繰り返して摺動されたＯＰＵ１Ｘ，２Ｘ，３Ｘ，４Ｘの摺動部６ｄ，６ｅ，６ｆの解析、および、ＯＰＵ１Ｘ，２Ｘ，３Ｘ，４Ｘを支持可能な長尺状のスライドシャフトＳ１，Ｓ２の摺動部Ｓ１ｒ，Ｓ２ｒの解析、ならびに、繰り返して屈曲されたＦＰＣ（８）の解析をまとめて効率よく行うことが可能となる。
【０１８３】
このＯＰＵ１Ｘ，２Ｘ，３Ｘ，４Ｘの耐久試験装置３００Ｘは、ＯＰＵ１Ｘ，２Ｘ，３Ｘ，４Ｘの下側に装備されＯＰＵ１Ｘ，２Ｘ，３Ｘ，４Ｘを構成するＦＰＣ（８）を例えば正面視略曲線を描くように撓ませつつ屈曲させる略直方体形状の下側板（１３０）と、ＯＰＵ１Ｘ，２Ｘ，３Ｘ，４Ｘの上側に装備されＯＰＵ１Ｘ，２Ｘ，３Ｘ，４Ｘを構成するＦＰＣ（８）を例えば正面視略曲線を描くように撓ませつつ屈曲させる略平板形状の上側板（１４０）と、上側板（１４０）のＯＰＵ１Ｘ，２Ｘ，３Ｘ，４Ｘ側に取り付けられＯＰＵ１Ｘ，２Ｘ，３Ｘ，４Ｘを構成するＦＰＣ（８）の屈曲／摺接耐久寿命を向上させるシート部材（１５０）と、ＯＰＵ１Ｘ，２Ｘ，３Ｘ，４Ｘに対する略平板状上側板（１４０）の取付高さを調整可能な略平板形状の調整部材（１２０）と、略平板形状の調整部材（１２０）と略平板形状の上側板（１４０）とを重ね合わせた状態で固定基材１１０Ｘ上に固定させるねじ（Ｓｍ）等の止具（Ｓｍ）とを備えて構成される。
【０１８４】
また、このＯＰＵ１Ｘ，２Ｘ，３Ｘ，４Ｘの耐久試験装置３００Ｘは、耐久試験装置３００Ｘに電気を供給可能な電源部１０と、電源部１０から電線１２を介して電気が供給されて通電されることにより一本の回動軸２３を回動駆動させる一つのモータ２０と、モータ２０により発せられた回動軸２３の回動力を往復駆動力に変換させる各駆動力変換部材３０，４１，４２，４３，４４，４５，５１，５２と、往復駆動力を伝達させる各往復駆動力伝達部材６１Ｘ，６２Ｘ，７１，７２，８１Ｘ，８２Ｘ，８３Ｘ，８４Ｘ，９１Ｘ，
９２Ｘ，９３Ｘ，９４Ｘとを備えて構成されている。
【０１８５】
これにより、各ＯＰＵ１Ｘ，２Ｘ，３Ｘ，４Ｘの往復動耐久試験を実施可能なＯＰＵ１Ｘ，２Ｘ，３Ｘ，４Ｘの耐久試験装置３００Ｘが構成される。耐久試験装置３００Ｘに電気を供給可能な電源部１０と、電源部１０から電線１２を介して電気が供給されて通電されることにより一本の回動軸２３を回動駆動させる一つのモータ２０と、モータ２０により発せられた回動軸２３の回動力を往復駆動力に変換させる各駆動力変換部材３０，４１，４２，４３，４４，４５，５１，５２と、往復駆動力を伝達させる各往復駆動力伝達部材６１Ｘ，６２Ｘ，７１，７２，８１Ｘ，８２Ｘ，８３Ｘ，８４Ｘ，９１Ｘ，９２Ｘ，９３Ｘ，９４Ｘとを備える一つのＯＰＵ１Ｘ，２Ｘ，３Ｘ，４Ｘの耐久試験装置３００Ｘが構成されていれば、各ＯＰＵ１Ｘ，２Ｘ，３Ｘ，４Ｘは確実に往復動移動させられる。各ＯＰＵ１Ｘ，２Ｘ，３Ｘ，４Ｘが確実に往復動移動させられるので、各ＯＰＵ１Ｘ，２Ｘ，３Ｘ，４Ｘの耐久試験は効率よく行われることとなる。
【０１８６】
ＯＰＵ１Ｘ，２Ｘ，３Ｘ，４Ｘの耐久試験装置３００Ｘを構成する平面視略長方形の略平板状べース板１００Ｘは、複数の略棒状脚部１９０Ｘにより高い位置に支えられている。また、電源部１０およびモータ２０は、略平板状べース板１００Ｘの下側に垂設されている。また、電源部１０を保護する略折曲げ板状の電源保護部材１８０が、電源部１０の近傍であって略平板状べース板１００Ｘの下側に垂設されている。このＯＰＵ１Ｘ，２Ｘ，３Ｘ，４Ｘの耐久試験装置３００Ｘは、平面視略長方形の略平板状べース板１００Ｘの下側において、上記略棒状脚部１９０Ｘと、上記電源部１０と、上記電源保護部材１８０と、上記モータ２０とを備えて構成されている。
【０１８７】
また、駆動力変換部材３０は、モータ２０の回動軸２３に取り付けられた例えば略円板状部を備える回動部材３０として形成されている。
【０１８８】
また、駆動力変換部材４１，４２，４３，４４は、例えば自在に角度を変えることが可能な球面ブッシュ４０を備えるロッド４１，４２，４３，４４として形成されている。駆動力変換部材４１，４２は、略円板状部を備えた回動部材３０に可動状態で取り付けられた例えば球面ブッシュ４０を備えるロッド４１，４２として形成されている。
【０１８９】
駆動力変換部材５１は、一対の球面ブッシュ４０を備えるロッド４１，４３を連結する略棒状の連結部材５１として形成されている。また、駆動力変換部材４３は、往復駆動力伝達部材６１Ｘに可動状態で取り付けられた例えば球面ブッシュ４０を備えるロッド４３として形成されている。また、駆動力変換部材４５は、球面ブッシュ４０を備える駆動力変換部材４３と、往復駆動力伝達部材６１Ｘとを可動状態で繋ぐ高さ調整用部材４５例えばカラーとして形成されている。また、往復駆動力伝達部材６１Ｘは、高さ調整用部材４５を介して球面ブッシュ４０を備えるロッド４３に連結された略板状の駆動力振分部材６１Ｘとして形成されている。
【０１９０】
また、往復駆動力伝達部材７１は、略板状の駆動力振分部材６１Ｘの下側に取り付けられた略矩形箱状の直線スライド部材７１として形成されている。略矩形箱状の直線スライド部材７１は、直線スライド部材７１に対応しベース板１００Ｘ上に固定された略矩形棒状の直線スライドレール案内部材７６上を往復移動する。略矩形棒状の直線スライドレール案内部材７６は、略丸棒状のスライドシャフトＳ１，Ｓ２の長手方向Ｄｒに沿って延設されている。
【０１９１】
また、往復駆動力伝達部材８１Ｘ，８２Ｘは、略板状の駆動力振分部材６１Ｘに、上側および下側に向けて立設された光軸方向Ｄｆに沿って長いピン８１Ｘ，８２Ｘとして形成されている。
【０１９２】
また、往復駆動力伝達部材９１Ｘは、略板状の駆動力振分部材６１Ｘに対して上下に立設されたピン８１Ｘの下部円柱状基部（図示せず）に可動状態で掛止される連結板９１Ｘとして形成されている。ＯＰＵ１Ｘ，２Ｘ，３Ｘ，４Ｘの耐久試験装置３００Ｘが平面視されたときに、異形板状の連結板９１Ｘ上に略板状の駆動力振分部材６１Ｘが重ねられる。また、往復駆動力伝達部材９２Ｘは、略板状の駆動力振分部材６１Ｘに対して上下に立設されたピン８２Ｘの下部円柱状基部（図示せず）に可動状態で掛止される連結板９２Ｘとして形成されている。ＯＰＵ１Ｘ，２Ｘ，３Ｘ，４Ｘの耐久試験装置３００Ｘが平面視されたときに、異形板状の連結板９２Ｘ上に略板状の駆動力振分部材６１Ｘが重ねられる。
【０１９３】
また、第一連結板９１Ｘは、第一ＯＰＵ１Ｘのハウジング５Ｘに固定される。第一連結板９１Ｘの通孔９０ｊに例えば不図示の十字穴付き小ねじ等の止具が通され、第一ＯＰＵ１Ｘのハウジング本体５ｂに設けられた雌ねじ孔部５ｊに不図示とされる十字穴付き小ねじ等の止具の雄ねじ部が螺合されて、第一ＯＰＵ１Ｘのハウジング５Ｘに第一連結板９１Ｘが固定される。また、第二連結板９２Ｘは、第二ＯＰＵ２Ｘのハウジング５Ｘに固定される。第二連結板９２Ｘの通孔９０ｊに例えば不図示の十字穴付き小ねじ等の止具が通され、第二ＯＰＵ２Ｘのハウジング本体５ｂに設けられた雌ねじ孔部５ｊに不図示とされる十字穴付き小ねじ等の止具の雄ねじ部が螺合されて、第二ＯＰＵ２Ｘのハウジング５Ｘに第二連結板９２Ｘが固定される。
【０１９４】
また、駆動力変換部材５２は、一対の球面ブッシュ４０を備えるロッド４２，４４を連結する略棒状の連結部材５２として形成されている。また、駆動力変換部材４４は、往復駆動力伝達部材６２Ｘに可動状態で取り付けられた例えば球面ブッシュ４０を備えるロッド４４として形成されている。また、往復駆動力伝達部材６２Ｘは、球面ブッシュ４０を備えるロッド４４に連結された略板状の駆動力振分部材６２Ｘとして形成されている。
【０１９５】
また、往復駆動力伝達部材７２は、略板状の駆動力振分部材６２Ｘの下側に取り付けられた略矩形箱状の直線スライド部材７２として形成されている。略矩形箱状の直線スライド部材７２は、直線スライド部材７２に対応しベース板１００Ｘ上に固定された略矩形棒状の直線スライドレール案内部材７７上を往復移動する。略矩形棒状の直線スライドレール案内部材７７は、略丸棒状のスライドシャフトＳ１，Ｓ２の長手方向Ｄｒに沿って延設されている。
【０１９６】
また、往復駆動力伝達部材８３Ｘ，８４Ｘは、略板状の駆動力振分部材６２Ｘに、上側および下側に向けて立設された光軸方向Ｄｆに沿って長いピン８３Ｘ，８４Ｘとして形成されている。
【０１９７】
また、往復駆動力伝達部材９３Ｘは、略板状の駆動力振分部材６２Ｘに対して上下に立設されたピン８３Ｘの下部円柱状基部（図示せず）に可動状態で掛止される連結板９３Ｘとして形成されている。ＯＰＵ１Ｘ，２Ｘ，３Ｘ，４Ｘの耐久試験装置３００Ｘが平面視されたときに、異形板状の連結板９３Ｘ上に略板状の駆動力振分部材６２Ｘが重ねられる。また、往復駆動力伝達部材９４Ｘは、略板状の駆動力振分部材６２Ｘに対して上下に立設されたピン８４Ｘの下部円柱状基部（図示せず）に可動状態で掛止される連結板９４Ｘとして形成されている。ＯＰＵ１Ｘ，２Ｘ，３Ｘ，４Ｘの耐久試験装置３００Ｘが平面視されたときに、異形板状の連結板９４Ｘ上に略板状の駆動力振分部材６２Ｘが重ねられる。
【０１９８】
また、第三連結板９３Ｘは、第三ＯＰＵ３Ｘのハウジング５Ｘに固定される。第三連結板９３Ｘの通孔９０ｊに例えば不図示の十字穴付き小ねじ等の止具が通され、第三ＯＰＵ
３Ｘのハウジング本体５ｂに設けられた雌ねじ孔部５ｊに不図示とされる十字穴付き小ねじ等の止具の雄ねじ部が螺合されて、第三ＯＰＵ３Ｘのハウジング５Ｘに第三連結板９３Ｘが固定される。また、第四連結板９４Ｘは、第四ＯＰＵ４Ｘのハウジング５Ｘに固定される。第四連結板９４Ｘの通孔９０ｊに例えば不図示の十字穴付き小ねじ等の止具が通され、第四ＯＰＵ４Ｘのハウジング本体５ｂに設けられた雌ねじ孔部５ｊに不図示とされる十字穴付き小ねじ等の止具の雄ねじ部が螺合されて、第四ＯＰＵ４Ｘのハウジング５Ｘに第四連結板９４Ｘが固定される。
【０１９９】
このＯＰＵ１Ｘ，２Ｘ，３Ｘ，４Ｘの耐久試験装置３００Ｘに装備される「ねじ」は、十字穴付小ねじ、すり割り付小ねじ等の上記各種ねじが用いられる。
【０２００】
平面視略長方形の略平板状べース板１００Ｘの前側に垂設された電源部１０からコード１２を経由して平面視略長方形の略平板状べース板１００Ｘの略中央に垂設されたモータ２０に電気が流されてモータ２０の回動軸２３が回動すると、モータ２０の回動軸２３に取り付けられ略円板状部を備えた回動部材３０も回動する。略円板状部を備えた回動部材３０が回動すると、駆動力は、左側の第一の球面ブッシュ４０を備えるロッド４１側と、右側の第二の球面ブッシュ４０を備えるロッド４２側とに振り分けられる。
【０２０１】
略円板状部を備えた回動部材３０が回動すると、回動力は、略棒状の第一連結部材５１によって連結された一対の球面ブッシュ４０を備えるロッド４１，４３により往復駆動力に変えられて、略板状の第一駆動力振分部材６１Ｘに往復駆動力として伝えられる。
【０２０２】
略板状の第一駆動力振分部材６１Ｘの下側に固定された略矩形箱状の第一直線スライド部材７１が、略矩形棒状の第一直線スライドレール案内部材７６によって案内されつつ往復移動させられることにより、第一駆動力振分部材６１Ｘは、スライドシャフトＳ１，Ｓ２の長手方向Ｄｒに略沿って精度よく往復移動させられる。
【０２０３】
略板状の第一駆動力振分部材６１Ｘの上側および下側に向けて立設された略丸棒状の第一ピン８１Ｘの下部円柱状基部に、第一ＯＰＵ１Ｘにねじ等による止具固定された第一連結板９１Ｘの略Ｕ字状凹部（図示せず）が掛止されることにより、第一駆動力振分部材６１Ｘの往復動に伴って、第一評価部Ｎ１Ｘに備えられたスライドシャフトＳ１，Ｓ２上の第一ＯＰＵ１ＸがスライドシャフトＳ１，Ｓ２上を往復移動する。また、略板状の第一駆動力振分部材６１Ｘの上側および下側に向けて立設された略丸棒状の第二ピン８２Ｘの下部円柱状基部に、第二ＯＰＵ２Ｘにねじ等による止具固定された第二連結板９２Ｘの略Ｕ字状凹部（図示せず）が掛止されることにより、第一駆動力振分部材６１Ｘの往復動に伴って、第二評価部Ｎ２Ｘに備えられたスライドシャフトＳ１，Ｓ２上の第二ＯＰＵ２ＸがスライドシャフトＳ１，Ｓ２上を往復移動する。
【０２０４】
また、略円板状部を備えた回動部材３０が回動すると、回動力は、略棒状の第二連結部材５２によって連結された一対の球面ブッシュ４０を備えるロッド４２，４４により往復駆動力に変えられて、略板状の第二駆動力振分部材６２Ｘに往復駆動力として伝えられる。
【０２０５】
略板状の第二駆動力振分部材６２Ｘの下側に固定された略矩形箱状の第二直線スライド部材７２が、略矩形棒状の第二直線スライドレール案内部材７７によって案内されつつ往復移動させられることにより、第二駆動力振分部材６２Ｘは、スライドシャフトＳ１，Ｓ２の長手方向Ｄｒに略沿って精度よく往復移動させられる。
【０２０６】
略板状の第二駆動力振分部材６２Ｘの上側および下側に向けて立設された略丸棒状の第三ピン８３Ｘの下部円柱状基部に、第三ＯＰＵ３Ｘにねじ等による止具固定された第三連
結板９３Ｘの略Ｕ字状凹部（図示せず）が掛止されることにより、第二駆動力振分部材６２Ｘの往復動に伴って、第三評価部Ｎ３Ｘに備えられたスライドシャフトＳ１，Ｓ２上の第三ＯＰＵ３ＸがスライドシャフトＳ１，Ｓ２上を往復移動する。また、略板状の第二駆動力振分部材６２Ｘの上側および下側に向けて立設された略丸棒状の第四ピン８４Ｘの下部円柱状基部に、第四ＯＰＵ４Ｘにねじ等による止具固定された第四連結板９４Ｘの略Ｕ字状凹部（図示せず）が掛止されることにより、第二駆動力振分部材６２Ｘの往復動に伴って、第四評価部Ｎ４Ｘに備えられたスライドシャフトＳ１，Ｓ２上の第四ＯＰＵ４ＸがスライドシャフトＳ１，Ｓ２上を往復移動する。
【０２０７】
このＯＰＵ１Ｘ，２Ｘ，３Ｘ，４Ｘの耐久試験装置３００Ｘは、ＯＰＵ１Ｘ，２Ｘ，３Ｘ，４Ｘの往復移動回数を検出可能な接触式のスイッチ１６０をさらに備えて構成される。
【０２０８】
これにより、各ＯＰＵ１Ｘ，２Ｘ，３Ｘ，４Ｘの往復移動回数が容易で確実に分かる。ＯＰＵ１Ｘ，２Ｘ，３Ｘ，４Ｘの耐久試験装置３００Ｘに、ＯＰＵ１Ｘ，２Ｘ，３Ｘ，４Ｘの往復移動回数を検出可能な接触式のスイッチ１６０が装備されているので、ＯＰＵ１Ｘ，２Ｘ，３Ｘ，４Ｘの耐久試験装置３００Ｘに備えられたＯＰＵ１Ｘ，２Ｘ，３Ｘ，４Ｘの往復移動回数は、接触式のスイッチ１６０により容易で確実に認識される。例えば、各ＯＰＵ１Ｘ，２Ｘ，３Ｘ，４Ｘの往復移動回数が所定の往復移動回数に達することが、接触式のスイッチ１６０により容易で確実に判断可能となる。
【０２０９】
平面視略矩形平板状のベース板１００Ｘ上に接触式のスイッチ１６０が固定されている。第二駆動力振分部材６２Ｘの下側に固定された第二直線スライド部材７２が往復移動させられるときに、第二直線スライド部材７２が接触式スイッチ１６０に接することにより、往復移動回数がカウントされる。
【０２１０】
また、このＯＰＵ１Ｘ，２Ｘ，３Ｘ，４Ｘの耐久試験装置３００Ｘは、平面視略長方形をした略平板状べース板１００Ｘ上の各種部品等を保護する合成樹脂製の保護部材２００Ｘをさらに備えて構成される。ＯＰＵ１Ｘ，２Ｘ，３Ｘ，４Ｘの耐久試験が行われるときに、駆動状態の各駆動力変換部材３０，４１，４２，４３，４４，４５，５１，５２や、各往復駆動力伝達部材６１Ｘ，６２Ｘ，７１，７２，８１Ｘ，８２Ｘ，８３Ｘ，８４Ｘ，９１Ｘ，９２Ｘ，９３Ｘ，９４Ｘや、各ＯＰＵ１Ｘ，２Ｘ，３Ｘ，４Ｘに不用意に人の手などが接して怪我をするということを防止させると共に、各ＯＰＵ１Ｘ，２Ｘ，３Ｘ，４Ｘ等に塵や埃などの異物が付着することを防止させる視認性に優れた略透明合成樹脂製の保護部材２００Ｘが、ＯＰＵ１Ｘ，２Ｘ，３Ｘ，４Ｘの耐久試験装置３００Ｘを構成する平面視略長方形の金属製略平板状べース板１００Ｘ上に置かれる。略透明な合成樹脂製の保護部材２００Ｘは、平面視略長方形の略平板状べース板１００Ｘの大きさに対応した例えば略透明アクリル樹脂製の大きい略矩形箱状のカバー２００Ｘとして形成されている。
【０２１１】
以上、本発明の実施形態について説明したが、前述した実施形態は、本発明の理解を容易にするためのものであり、本発明を限定して解釈するためのものではない。例えば、駆動力振分部材（６１，６１Ｘ，６２，６２Ｘ）の上下両側に「弾性部材」（８５）が装備されてもよい。また、例えば二つのＯＢＬを備えるＯＰＵの耐久試験等が行われてもよい。本発明は、その趣旨を逸脱することなく、変更／改良され得るとともに、その等価物も含まれる。
【図面の簡単な説明】
【０２１２】
【図１】本発明に係るピックアップ装置の試験機の第一実施形態を示す平面図である。
【図２】ピックアップ装置の試験機における略左奥側を正面側から眺めた状態を示す概略図である。
【図３】ピックアップ装置の試験機を側面側から眺めた状態を示す概略図である。
【図４】本発明に係るピックアップ装置の試験機の第二実施形態を示す平面図である。
【符号の説明】
【０２１３】
１，１Ｘ，２，２Ｘ，３，３Ｘ，４，４Ｘ  ＯＰＵ（ピックアップ装置）
５，５Ｘ          ハウジング
５ａ，５ｂ        ハウジング本体（本体）
５ｈ，５ｊ        ねじ孔部（ねじ部）
６ａ，６ｂ，６ｃ，６ｄ，６ｅ，６ｆ  軸受部（摺動部）
７，７Ｘ          ＯＢＬ（対物レンズ）
８                ＦＰＣ（フレキシブル基板）
１０              電源部
１２              コード（電線）
２０              モータ（回動駆動部材）
２３              回動軸
３０              回動部材（駆動力変換部材）
４０              球面ブッシュ
４１，４２，４３，４４  ロッド（駆動力変換部材）
４５              調整用部材（駆動力変換部材）
５１，５２        連結部材（駆動力変換部材）
６１，６１Ｘ，６２，６２Ｘ  駆動力振分部材（駆動力伝達部材）
７１，７２        直線スライド部材（駆動力伝達部材）
７６，７７        直線スライドレール案内部材
８０              取付溝（取付部）
８１，８１Ｘ，８２，８２Ｘ，８３，８３Ｘ，８４，８４Ｘ  ピン（駆動力伝達部材）
８５              ばね（弾性部材）
９０ｈ，９０ｊ    通孔
９１，９１Ｘ，９２，９２Ｘ，９３，９３Ｘ，９４，９４Ｘ  連結板（駆動力伝達部材）
１００，１００Ｘ  ベース板
１１０，１１０Ｘ  固定基材
１２０            スペーサ（調整部材）
１３０，１４０    板（可撓促進部）
１５０            シート部材（摺接部材）
１６０            スイッチ（検知部材）
１８０            電源保護部材
１９０，１９０Ｘ  脚部
２００，２００Ｘ  カバー（保護部材）
３００，３００Ｘ  試験装置（試験機）
Ｄｅ              正面視方向
Ｄｆ              光軸方向
Ｄｒ              長手方向
Ｄｔ              タンジェンシャル方向（方向）
Ｎ１，Ｎ１Ｘ，Ｎ２，Ｎ２Ｘ，Ｎ３，Ｎ３Ｘ，Ｎ４，Ｎ４Ｘ  評価部
ＰＮ              ピン（位置決め部材）
Ｓ１，Ｓ２        スライドシャフト（支持部材）
Ｓ１ｒ，Ｓ２ｒ    摺動部
Ｓｍ，Ｓｎ        ねじ（止具）
Ｓｐ，Ｓｑ        ねじ穴
【図１】
2009020992.tif 000003
【図２】
2009020992.tif 000004
【図３】
2009020992.tif 000005
【図４】
2009020992.tif 000006